(57)【特許請求の範囲】
【請求項１】
それぞれ少なくとも一つのセルラーチャンネルを有する複数のトランシーバーと、トランシーバー毎にセルラーチャンネルをモニターし、音声通話間にアイドル状態になったセルラーチャンネルを特定する基地局チャンネルモニター手段と、選択されたトランシーバーのアイドル状態にあるセルラーチャンネルとの間で音声通話を行う基地局制御手段とを有する複数のセルラー基地局に接続され、主として音声を伝送するセルラーネットワークと、
上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備え、
共有された各セルラー基地局は、更に、
上記の基地局チャンネルモニター手段によって、選択されたトランシーバーにおいて音声通話間にアイドル状態のセルラーチャンネルが特定されると、伝送するデータパケットの授受を選択的に上記の基地局制御手段との間で行うデータパケット通話制御手段を備えているセルラー通信システムであって、
共有された各セルラー基地局は、更に、上記の公衆パケットデータネットワークからデータパケットを受け、このデータパケットを一時的に格納するデータバッファを備え、
上記各セルラー基地局が上記データパケットを送信する場合に、上記セルラー基地局は、上記データパケットの受信側に対して、上記基地局チャンネルモニター手段が特定したアイドル状態のセルラーチャンネルを利用可能な上記トランシーバーに同調するよう指示し、
上記セルラー基地局の上記データパケット通話制御手段は、上記の基地局制御手段が格納済のデータパケットを上記データバッファから読み出すのに応じて、該データパケットをアイドル状態にある上記セルラーチャンネルへ挿入して上記受信側に伝送されるように応答するものであり、
上記セルラーネットワークは、共有された上記セルラー基地局の各トランシーバーが上記複数のセルラーチャンネルを有するように、所定のセルラー周波数帯域でマルチプレクシングされた複数のセルラーチャンネルを供給し、
共有された各セルラー基地局は、更に、上記のデータパケット通話制御手段と協働してアイドル状態にあるセルラーチャンネルを介して上記データバッファに格納されたデータパケットを伝送するマルチプレクシング制御手段を備えていることを特徴とするセルラー通信システム。
【請求項２】
それぞれ少なくとも一つのセルラーチャンネルを有する複数のトランシーバーと、トランシーバー毎にセルラーチャンネルをモニターし、何時、ネットワーク通話が終了して他のネットワーク通話が可能なアイドル状態になったかを特定する基地局チャンネルモニター手段と、上記トランシーバーと上記基地局チャンネルモニター手段とに接続され、選択されたトランシーバーのアイドル状態にあるセルラーチャンネルとの間でネットワーク通話を行う基地局制御手段とを有する複数のセルラー基地局に接続され、少なくとも一つのセルラー電話交換局を有し、主として音声伝送を行うためのセルラーネットワークと、
上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備え、
共有された各セルラー基地局は、更に、
共有された上記のセルラー基地局と上記のセルラーネットワークとを接続し、上記のセルラー基地局との間で上記ネットワーク通話を行う第１ネットワーク通信リンク手段と、
共有された上記のセルラー基地局と上記セルラーデータネットワークとを接続し、上記のセルラー基地局との間で上記データパケットの授受を行う第２ネットワーク通信リンク手段と、
上記の第１ネットワーク通信リンク手段と、共有されたセルラー基地局の基地局制御手段とを接続し、上記のセルラー基地局内のトランシーバーとの間で上記のネットワーク通話を行う第１接続手段と、
上記の第２ネットワーク通信リンク手段と、共有されたセルラー基地局の基地局制御手段とを接続し、上記のセルラー基地局内のネットワーク通話を行う際に使用されるのと同じトランシーバーとの間で上記のデータパケットの授受を行う第２接続手段と、
上記の基地局制御手段と上記の第２ネットワーク通信リンク手段とに接続され、共有されたセルラー基地局内の選択されたトランシーバーを介してデータパケットの授受を選択的に上記の基地局制御手段との間で行うデータパケット通話制御手段とを備え、
上記の基地局制御手段は、選択されたトランシーバーによって伝送されるセルラーチャンネル上のネットワーク通話間のインターバルの間に、上記データパケットを該トランシーバーを介して伝送し、
共有された上記のセルラー基地局によって使用されたトランシーバー及びセルラーチャンネルが、上記のセルラーネットワークによって音声通話を主として伝送する一方、これらと同じトランシーバー及びセルラーチャンネルが、上記セルラーデータネットワークからのデータパケットを間欠的に伝送するセルラー通信システムであって、
共有された各セルラー基地局は、更に、上記の公衆パケットデータネットワークからデータパケットを受け、このデータパケットを一時的に格納するデータバッファを備え、
上記各セルラー基地局が上記データパケットを送信する場合に、上記セルラー基地局はは、上記データパケットの受信側に対して、上記基地局チャンネルモニター手段が特定したアイドル状態のセルラーチャンネルを利用可能な上記トランシーバーに同調するよう指示し、
上記セルラー基地局の上記データパケット通話制御手段は、上記の基地局制御手段が格納済のデータパケットを上記データバッファから読み出すのに応じて、該データパケットをアイドル状態にある上記セルラーチャンネルへ挿入して上記受信側に伝送されるように応答するものであり、
上記セルラーネットワークは、共有された上記セルラー基地局の各トランシーバーが上記複数のセルラーチャンネルを有するように、所定のセルラー周波数帯域でマルチプレクシングされた複数のセルラーチャンネルを供給し、
共有された各セルラー基地局は、更に、上記のデータパケット通話制御手段と協働してアイドル状態にあるセルラーチャンネルを介して上記データバッファに格納されたデータパケットを伝送するマルチプレクシング制御手段を備えていることを特徴とするセルラー通信システム。
【請求項３】
上記セルラーネットワークは、共有された上記セルラー基地局の各トランシーバーが上記複数のセルラーチャンネルを異なる所定のタイムスロットで有するように、所定のセルラー周波数帯域で時分割多重化された複数のセルラーチャンネルを供給し、
共有された各セルラー基地局は、更に、上記のデータパケット通話制御手段と協働してアイドル状態にあるセルラーチャンネルを介して上記データバッファに格納されたデータパケットを上記タイムスロットで伝送するタイムスロット制御手段を備えていることを特徴とする請求項１又は２記載のセルラー通信システム。
【請求項４】
セルラーネットワークからのセルラーネットワーク通話と、セルラーデータネットワークからのデータパケットの伝送とを行うセルラー通信方法であって、
セルラーネットワークと共有されたセルラー基地局にセルラーデータネットワークを接続する工程と、
共有された各セルラー基地局内の基地局制御手段にセルラーネットワークを接続し、共有された各セルラー基地局内のトランシーバーとの間でセルラーネットワーク通話を行う工程と、
前工程で使用されたものと同じ基地局制御手段に上記セルラーデータネットワークを接続し、共有された各セルラー基地局内のトランシーバーとの間で、上記セルラーデータネットワークを介して伝送されるデータパケットを伝送する工程とを備え、
上記の基地局制御手段がセルラーネットワーク通話の終了と次のセルラーネットワーク通話の開始との間のアイドル期間にあるセルラーチャンネルを特定すると、このセルラーネットワーク通話間のインターバルの間に、基地局制御手段はセルラーデータネットワークからのデータパケットをアイドル状態にある該セルラーチャンネルのトランシーバーへ選択的に伝送し、
これにより、共有された各セルラー基地局内のトランシーバー及びセルラーチャンネルは主として音声通話を行うと共に、これらと同じトランシーバー及びセルラーチャンネルがセルラーデータネットワークからのデータパケットを間欠的に伝送するセルラー通信方法であって、
共有された各セルラー基地局と上記のセルラーデータネットワークとを接続する際に、上記の公衆パケットデータネットワークからデータパケットを受け、一時的にデータバッファに格納し、
選択されたセルラーチャンネルへ上記の基地局制御手段がデータパケットを伝送するまでの間、少なくとも一つのデータパケットを選択的に上記データバッファに格納し、
上記各セルラー基地局が上記データパケットを送信する場合に、該セルラー基地局の基地局制御手段がセルラーデータネットワークからのデータパケットをアイドル状態にあるセルラーチャンネルのトランシーバーへ選択的に伝送する際に、セルラーネットワーク通話間の上記インターバルの間に、上記データバッファに格納されたデータパケットを読みだして、アイドル状態にある上記セルラーチャンネルのトランシーバーへ伝送するものであり、
上記セルラー基地局は、上記データパケットの受信側に対して、アイドル状態にある上記セルラーチャンネルのトランシーバーに同調するよう指示し、
上記セルラーネットワークは、所定のセルラー周波数帯域で時分割多重化された複数のセルラーチャンネルを供給し、
データパケットが伝送されるセルラーチャンネル毎に、データパケットを上記の時分割に応じて挿入し、上記の基地局制御手段がセルラーデータネットワークからのデータパケットを選択的に伝送することを特徴とするセルラー通信方法。
【請求項５】
上記セルラーネットワークは、所定のセルラー周波数帯域でマルチプレクシングされた複数のセルラーチャンネルを供給し、
データパケットが伝送されるセルラーチャンネル毎に、データパケットをマルチプレクシングされ且つアイドル状態にある上記セルラーチャンネルへ挿入し、上記の基地局制御手段がセルラーデータネットワークからのデータパケットを選択的に伝送することを特徴とする請求項４記載のセルラー通信方法。
【請求項６】
上記タイムスロット制御手段が、所定の優先順位に基づいて、上記セルラーチャンネルを介して上記データバッファに格納されたデータパケットを上記タイムスロットで伝送することを特徴とする請求項３記載のセルラー通信システム。
【請求項７】
上記優先順位が、データパケットのホールド状態の長さに基づいて決定されることを特徴とする請求項６記載のセルラー通信システム。
【請求項８】
上記優先順位が、上記データバッファに格納されたデータ量に基づいて決定されることを特徴とする請求項７記載のセルラー通信システム。
【発明の詳細な説明】
【０００１】
【発明の属する技術分野】
本発明は、中央電話交換局と複数の移動セルラー電話との間で多重同時通話の送受信を行う複数のセルラー基地局が採用されるセルラー通信システム及びセルラー通信方法に関し、更に詳しくは、第１セルラーネットワーク通話間のインターバルにおいて、第２セルラーネットワークを介してデータパケットを間欠的に送受信することによって、第１セルラーネットワーク内のセルラー基地局の利用を増加させるためのセルラー通信システム及びセルラー通信方法に関するものである。
【０００２】
【従来の技術】
セルラー通信ネットワークは、多数のセルラー基地局を採用している。各セルラー基地局は、特定のサービス区域（即ち、セル（cell））内で、低出力の無線信号の送信と受信とを行う。
【０００３】
上記セルラー基地局は、その戦略上、管轄区域（領域）中に設けられ、セルラー電話加入者間で通話できるようになっている。セルラーネットワーク内の各セルラー基地局は、多数のセルラートランシーバーを含んでいる。
【０００４】
各セルラートランシーバーは、一組の選択された所定の送信周波数／受信周波数で動作する。この送信周波数／受信周波数により、少なくとも一つの双方向の電話通話が行える。現在のシステム設計の代表例によれば、約５６〜９８の放送周波数（送信周波数／受信周波数）ペアが各セルラー基地局に対して割り当てられている。
【０００５】
セルラー基地局内のほとんどのトランシーバーは、加入者通話の伝送用として割り当てられる。これに対して、トランシーバーの内、一つ又は二つは、送受信の制御用、および新しくかかってきたセルラーネットワーク通話を特定するためのサービス信号の要求用として割り当てられる。
【０００６】
アナログ無線信号の送受信用に設計されたセルラーシステムにおいては、セルラー基地局の各トランシーバーは、双方向のセルラーネットワーク通話を可能とする単一のセルラーチャンネルを供給する。これに対して、デジタルセルラーシステムにおいては、各セルラーネットワーク通話がデジタル化されて無線信号送信が符号化され、各無線周波数ペアに係る複数のセルラーチャンネルが供給される。
【０００７】
ここでは、セルラーネットワーク通話をデジタル化することによってセルラーチャンネルの数を増加させるための従来方法を時分割多重化と称する。この時分割多重化によれば、いくつかのデジタル化されたセルラーチャンネルを介して、各無線信号の伝送が行われる。セルラーチャンネルを介する無線信号は、それぞれ別のタイムスロットで伝送され、しかも各セルラーチャンネルは、時間軸同期デコーダ（復号器）によって、独立して再生される。
【０００８】
時分割多重化に関して存在する一つの基準は、ＴＤＭＡ（Time Division Multiple Access ：時分割多重アクセス）であり、これは、移動局−基地局というデュアルモードの適合基準であり、当業者にとっては馴染みが深い。ＴＤＭＡの詳細については、例えば、"Telecommunications Industry Association, Engineering Department, 2001 Pennsylvania Avenue, N.W., Washington, D.C. 20006" が発行する"Standard IS-54, Rev. B, dated April 1992"か、或いはその最新版を参照すればよい。
【０００９】
所定数のセルラー送信周波数／受信周波数で処理できる同時通話数は、多重化が採用されるか否か、及び採用されるならどのような多重化が採用されるかに依存して変化する。
【００１０】
アナログシステムおよびデジタルシステムの両方とも、多重同時セルラーネットワーク通話を行うために、多重セルラーチャンネルを供給する。ここで使用されるセルラーチャンネルという用語は、セルラーネットワークのユーザー間でセルラーネットワーク通話が行える、双方向の無線通信リンクを意味する。
【００１１】
現行のＴＤＭＡ基準を使用する時分割多重化によれば、単一の無線周波数ペアで、３つの独立した別々の電話通話を同時に行うことができる。したがって、セルラー基地局内の各トランシーバーは、同時に、３つの別々のセルラーチャンネルを処理することができる。これに対して、アナログシステムによれば、各トランシーバーは、ただ一つのセルラーチャンネルを処理することができる。
【００１２】
どんなセルラー通信ネットワークでも、セルラーネットワーク通話は、中央セルラー電話交換局（中央交換局、あるいはネットワーク交換局とも呼ばれる）を介して、サービス区域内に設けられた複数のセルラー基地局に対して、伝送される。このセルラー基地局は、中央セルラー電話交換局から移動セルラー加入者へ無線リンクを供給する。
【００１３】
セルラーネットワークにアクセスして或る電話加入者と通話する場合、或る信号がサービス区域中に送られ、その電話加入者に最も近いセルラー基地局が特定される。それから、別の信号が移動電話加入者の電話へ送られ、上記通話を伝送するためにどの送信周波数／受信周波数に同調すべきかが電話トランシーバーに対して指示される。各移動セルラー電話は、選択された送信周波数／受信周波数（セルラーネットワーク内のセルラー基地局で使用される送信周波数／受信周波数）の如何なる周波数ペアに対しても同調するように設計されている。
【００１４】
中央セルラー電話交換局は、セルラーネットワーク中において、全てのセルラーネットワーク通話を追跡（トラッキング）し、選択されたセルラー基地局を介してセルラーネットワーク通話を伝送する。セルラー基地局の選択は、移動セルラー電話のユーザー又は電話加入者の現在位置によって決定される。
【００１５】
セルラーネットワーク内のセルラー基地局は、中央セルラー電話交換局に接続されている。この接続は、大陸通信線、マイクロ波リンク、あるいはネットワークサービス区域内に広がる同様の半永久的な接続によって行われる。
【００１６】
セルラー電話加入者は、単一のセルラーネットワーク通話中はネットワークサービス区域内を自由に移動できる。これは、ユーザーが或るセルを離れた後、次のセルへ達する際に、セルラーネットワーク通話が或るセルラー基地局から別のセルラー基地局へ引き継がれる（ハンドオフされる）という根拠に基づいている。
【００１７】
この引継は、加入者のセルラー電話に対して指示するセルラーネットワークによって行われる。このセルラーネットワークは、移動前のセル内のセルラー基地局のトランシーバーによって使用されていた送信周波数／受信周波数ペアを新しい送信周波数／受信周波数ペアにスイッチするように、加入者のセルラー電話に対して指示する。
【００１８】
一方、中央電話交換局は、同時に、セルラーネットワーク通話を適当なセルラー基地局へ伝送する。セルラーネットワークは、セルラーネットワーク通話を中断することなく、セルラーネットワーク通話の引継を行うように設計されている。中央電話交換局は、電話加入者との無線接続の連続性を維持することが要求されるごとに、セルラーネットワーク通話の引継処理を行う。
【００１９】
各セルラーネットワーク通話の状態をモニターするシステムが、各セルラーネットワークの機能の心臓部である。セルラーネットワークは、各セルラー基地局内で各セルラーチャンネルが伝送可能な状態にあるか否かを認識することが必要である。各セルラー基地局内の全セルラーネットワーク通話の状態をモニターするための基地局制御手段（各セルラー基地局内の通話切替制御ユニット）を採用するセルラー通信システムもある。各セルラー基地局の各セルラーネットワーク通話を中央電話交換局を介してモニターするセルラーシステムもある。
【００２０】
セルラーネットワーク通話が何処でモニターされるかに無関係に、全てのセルラー電話ネットワーク中の何処かにセルラーチャンネルモニターシステムが設けられ、セルラーネットワークの各セルラーネットワーク通話の状態が特定される。各セルラーネットワーク通話が各セルラー基地局で終了した時と、各セルラーチャンネルが新しいセルラーネットワーク通話を伝送可能な状態になった時とに、セルラーチャンネルモニターシステムは通話状態に係る種々の情報をアクセスする。セルラーネットワークを介して行われる新しいセルラーネットワーク通話の伝送は、通話状態に係る種々の上記情報に基づいて行われる。
【００２１】
時には、セルラーチャンネルに対する要求が許容量を上回ってネットワーク上のオーバーロード状態になり、この結果、電話加入者に対するサービスの質を落とすことになることもある。無線チャンネルのスペクトルには限りがあると共にセルラーネットワーク通話量が増加しているので、ほとんどのセルラーネットワークとセルラー基地局とは、オーバーロードになることがある。
【００２２】
それゆえ、利用できる無線チャンネルスペクトルの伝送容量を増加させる改良技術を望む声が、ずっと続けてあった。パーソナル無線通信の使用が予想且つ計画したように大幅に増加すると、たとえ利用できる無線チャンネルスペクトルが追加されても、依然として、放送スペクトルをもっと効率的に使用することが引き続き必要となる。
【００２３】
コンピュータ間のデータ通話は、セルラー電話ネットワークによって益々伝送されるセルラー電話通話の一つの階層を表している。データ通話はしばしば不連続であり、ブランク時間の実質的なインターバルによって分離されたデータの断続的交換が必要とされる。
【００２４】
結果的に、コンピュータ間の接続として単に音声チャンネルを採用することは、通常、不経済であり且つコスト高を招来する。にもかかわらず、携帯用コンピュータが普及するにつれて、移動携帯コンピュータに対して電話データを接続する需要が高まりつつある。特に、低コストで且つ音声チャンネルがデータ通話専用で使用される場合に賦課されるシステムローディングなしに、セルラーネットワークを介してデータ伝送を行うという需要を満足するための新しい方法を見つけ出すことが必要となる。
【００２５】
コンピュータ間で、データパケットの形態でデータ伝送を行う特殊なデータネットワークが現存する。このデータパケットは、データが短期間圧縮されて符号化されたバーストである。このようなデータ専用のネットワークは、データ伝送の場合、従来の長距離電話で伝送するよりも遙に経済的である。
【００２６】
良く知られたタイプのデータネットワークの１つに、ＰＳＰＤＮ（Public Switched Packet Data Network ：公衆交換パケットデータネットワーク）と呼ばれるものがあり、これは、公衆パケットデータネットワークＰＰＤＮ（Public Packet Data Network）とも呼ばれる。このＰＳＰＤＮは、デジタル情報をパケット化して専用回線を介して低コストで伝送するか、あるいは間欠的に公衆電話回線を介してアナログの長距離料金と比べてかなり安く伝送するように設計されている。
【００２７】
ＰＳＰＤＮのセルラー等価技術の発展は、現在のところ、芳しくない。セルラー業界では未だに実施されていないが、１つのシステムが提案されている。このシステムによれば、アナログセルラーネットワーク通話間でブランク時間を利用し、デジタル通話接続を希望する顧客間でデータパケットが伝送される。このシステムは、ＣＤＰＤ（Cellular Digital Packet Data service：セルラーデジタルパケットデータサービス）と称される。
【００２８】
このＣＤＰＤは、セルラーネットワーク通話間の短い遅延を利用している。つまり、ＣＤＰＤは、或るセルラーネットワーク通話の終了時であって次に新しいセルラーネットワーク通話が割り当てられる前に、セルラーチャンネルはアイドル状態になることを利用している。
【００２９】
ＣＤＰＤを採用しているシステムはセルラー周波数を走査し、瞬間的にアイドル状態にあるチャンネル（即ち、送信周波数／受信周波数）を特定する。そして、空チャンネルが見つかると、システムは近くのＣＤＰＤ基地局を直ちにオン状態にし、その見つけた空周波数でデータの送受信を行う。
【００３０】
【発明が解決しようとする課題】
ところが、上記従来のＣＤＰＤの場合、ＣＤＰＤ加入者間でデータ伝送を行うためには、複数のセルラー基地局及びトランシーバーからなる専用のセルラーネットワークを別途設けることが必要である。ＣＤＰＤは、単に、セルラー周波数（送信周波数／受信周波数）をセルラー電話交換局との間で共有しているに過ぎない。
【００３１】
ＣＤＰＤの欠点は、アイドル状態にあるスペクトルを短期間使用するために、上記専用のセルラーネットワークをサービス区域中に構築する必要があると共に、それを維持するのに多大な費用を要することである。この専用のセルラーネットワークは、複数の専用のセルラー基地局を含む。
【００３２】
ＣＤＰＤの他の欠点は、送信スペクトルのブランク期間を調べるので、時分割多重化と両立できないことである。これは、ＣＤＰＤの場合、放送スペクトルにおけるブランク期間が検索されるからである。ＣＤＰＤは、同じ搬送周波数で複数のセルラーネットワーク通話が伝送される場合、それぞれのセルラーネットワーク通話間のギャップを特定できない。時分割多重化によれば、トランシーバーは、そのトランシーバーによって伝送される全てのセルラーチャンネルがアイドル状態にある場合にのみアイドル状態になり、このような状態は、非常に稀にしか発生しない。
【００３３】
各チャンネルが別のトランシーバーを介して伝送されると共にトランシーバーは各通話の終了時に直ちにアイドル状態になるアナログセルラーシステムと共に使用する場合に、ＣＤＰＤはその機能を充分に果たし得る。ＣＤＰＤはアナログセルラーシステムが使用される場合に制限されているので、セルラー通信における発展の方向と矛盾するという問題点を有している。
【００３４】
本発明は、上記問題点に鑑みなされたものであり、その目的は、セルラー基地局およびトランシーバー（何れも複数）の基幹施設を重複して設けることなく、通信目的のためにセルラーネットワーク通話間のアイドル期間を利用することにある。
【００３５】
本発明の他の目的は、従来のセルラー電話ネットワークにおいて、音声通話時に使用されるものと同じセルラー基地局やトランシーバーを介して、デジタルユーザー間でデータパケットの転送を行うことによって、利用できる無線スペクトルの利用を増加することにある。
【００３６】
本発明の更に他の目的は、通常トランシーバーによって行われる第１セルラーネットワーク通話の処理に抵触することなく、セルラー基地局内の各トランシーバーの使用を増やすことにある。
【００３７】
本発明の他の目的は、(1) セルラーネットワークで使用されたものと同じセルラー基地局やトランシーバーの内いくつか、あるいは全てを有すると共に、(2) セルラーネットワーク通話間のインターバルの間のみを利用してデータ通話を行う別のセルラーデータネットワークを供給することによって、セルラー通信ネットワーク上のセルラー基地局の利用を増加させ、より多くのセルラー基地局、トランシーバー、あるいは無線周波数を必要とすることなく、通話を処理するシステムの容量を増加させることにある。
【００３８】
【課題を解決するための手段】
上記の課題を解決するために、本発明のセルラー通信システムは、それぞれ少なくとも一つのセルラーチャンネルを有する複数のトランシーバーと、トランシーバー毎にセルラーチャンネルをモニターし、音声通話間にアイドル状態になったセルラーチャンネルを特定する基地局チャンネルモニター手段と、選択されたトランシーバーのアイドル状態にあるセルラーチャンネルとの間で音声通話を行う基地局制御手段とを有する複数のセルラー基地局に接続され、主として音声を伝送するセルラーネットワークと、上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備え、共有された各セルラー基地局は、更に、上記の基地局チャンネルモニター手段によって、選択されたトランシーバーにおいて音声通話間にアイドル状態のセルラーチャンネルが特定されると、伝送するデータパケットの授受を選択的に上記の基地局制御手段との間で行うデータパケット通話制御手段を備えている。
【００３９】
本発明のセルラー通信システムによれば、基地局チャンネルモニター手段によって、トランシーバーごとに全てのセルラーチャンネルの通話状態がモニターされる。このモニターの結果、選択されたトランシーバーが、他の音声通話が可能な状態（アイドル状態）のセルラーチャンネルを有している場合、基地局制御手段とアイドル状態のセルラーチャンネルとの間で、音声通話が行われる。このようにして、選択されたトランシーバーのセルラーチャンネルを介して、セルラー基地局とセルラーネットワークとの間で音声通話が行われる。
【００４０】
一方、データパケットは、セルラーネットワークとセルラーデータネットワークとによって共有されたセルラー基地局と、セルラーデータネットワークとの間で、次のようにして伝送される。
【００４１】
即ち、基地局チャンネルモニター手段によって、音声通話間にアイドル状態になったセルラーチャンネルが特定されると、共有されたセルラー基地局内のデータパケット通話制御手段と基地局制御手段との間で、伝送するデータパケットの授受が選択的に行われる。そして、基地局制御手段と、選択されたトランシーバーのセルラーチャンネルとの間でデータパケットの授受が行われる。
【００４２】
このようにして、選択されたトランシーバーのセルラーチャンネルを介して、該セルラーチャンネルが音声通話間にアイドル状態にある間に、セルラー基地局とセルラーデータネットワークとの間でデータパケットの伝送が行われる。この結果、セルラーデータネットワークにおいて、データパケットが公衆パケットデータネットワークと移動セルラーデータ局との間で伝送される。
【００４３】
以上のように、共有されたセルラー基地局とセルラーネットワークとの間で音声通話が主として行われる一方、この音声通話で使用されたトランシーバー及びセルラーチャンネルが音声通話間のアイドル期間にも使用され、セルラー基地局とセルラーデータネットワークとの間でデータパケットが間欠的に伝送されることになる。
【００４４】
上記の課題を解決するために、本発明のセルラー通信システムは、(1) それぞれ少なくとも一つのセルラーチャンネルを有する複数のトランシーバーと、トランシーバー毎にセルラーチャンネルをモニターし、何時、ネットワーク通話が終了して他のネットワーク通話が可能なアイドル状態になったかを特定する基地局チャンネルモニター手段と、上記トランシーバーと上記基地局チャンネルモニター手段とに接続され、選択されたトランシーバーのアイドル状態にあるセルラーチャンネルとの間でネットワーク通話を行う基地局制御手段とを有する複数のセルラー基地局に接続され、少なくとも一つのセルラー電話交換局を有し、主として音声伝送を行うためのセルラーネットワークと、(2) 上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備えている。
【００４５】
共有された各セルラー基地局は、更に、(a) 共有された上記のセルラー基地局と上記のセルラーネットワークとを接続し、上記のセルラー基地局との間で上記ネットワーク通話を行う第１ネットワーク通信リンク手段と、(b) 共有された上記のセルラー基地局と上記セルラーデータネットワークとを接続し、上記のセルラー基地局との間で上記データパケットの授受を行う第２ネットワーク通信リンク手段と、(c) 上記の第１ネットワーク通信リンク手段と、共有されたセルラー基地局の基地局制御手段とを接続し、上記のセルラー基地局内のトランシーバーとの間で上記のネットワーク通話を行う第１接続手段と、(d) 上記の第２ネットワーク通信リンク手段と、共有されたセルラー基地局の基地局制御手段とを接続し、上記のセルラー基地局内のネットワーク通話を行う際に使用されるのと同じトランシーバーとの間で上記のデータパケットの授受を行う第２接続手段と、(e) 上記の基地局制御手段と上記の第２ネットワーク通信リンク手段とに接続され、共有されたセルラー基地局内の選択されたトランシーバーを介してデータパケットの授受を選択的に上記の基地局制御手段との間で行うデータパケット通話制御手段とを備え、上記の基地局制御手段は、選択されたトランシーバーによって伝送されるセルラーチャンネル上のネットワーク通話間のインターバルの間に、上記データパケットを該トランシーバーを介して伝送し、共有された上記のセルラー基地局によって使用されたトランシーバー及びセルラーチャンネルが、上記のセルラーネットワークによって音声通話を主として伝送する一方、これらと同じトランシーバー及びセルラーチャンネルが、上記セルラーデータネットワークからのデータパケットを間欠的に伝送する。
【００４６】
本発明のセルラー通信システムによれば、基地局チャンネルモニター手段によって、トランシーバーごとにセルラーチャンネルの通話状態がモニターされる。このモニターの結果、セルラー電話交換局を介して通話中のネットワーク通話が終了して他のネットワーク通話が可能なアイドル状態になったことが特定されると、セルラー基地局とセルラーネットワークとが第１ネットワーク通信リンク手段によって接続される。
【００４７】
第１ネットワーク通信リンク手段は、第１接続手段によってセルラー基地局内の基地局制御手段と接続され、ネットワーク通話が、選択されたトランシーバーのアイドル状態にあるセルラーチャンネルとの間で行われる。このようにして、選択されたトランシーバーのセルラーチャンネルを介して、セルラー基地局とセルラーネットワークとの間でネットワーク通話（音声通話）が行われる。
【００４８】
一方、データパケットは、セルラーネットワークとセルラーデータネットワークとによって共有されたセルラー基地局と、セルラーデータネットワークとの間で、次のようにして伝送される。
【００４９】
即ち、基地局チャンネルモニター手段によって、音声通話間にアイドル状態になったセルラーチャンネルが特定されると、伝送するデータパケットの授受が、選択的に、共有された基地局内のデータパケット通話制御手段と基地局制御手段との間で、次のようにして行われる。
【００５０】
共有されたセルラー基地局とセルラーデータネットワークとが第２ネットワーク通信リンク手段によって接続される。この第２ネットワーク通信リンク手段は、第２接続手段によって、共有されたセルラー基地局内の基地局制御手段に接続される。
【００５１】
これにより、基地局制御手段とデータパケット通話制御手段とがリンクされ、選択されたトランシーバーによって伝送されるセルラーチャンネル上のネットワーク通話間のインターバルの間に、データパケットの授受が、共有されたセルラー基地局内の選択されたトランシーバーを介して、選択的に、基地局制御手段とデータパケット通話制御手段との間で行われる。
【００５２】
つまり、共有された上記のセルラー基地局によって使用されたトランシーバー及びセルラーチャンネルが、上記のセルラーネットワークによって音声通話を主として伝送する一方、これらと同じトランシーバー及びセルラーチャンネルが、上記セルラーデータネットワークからのデータパケットを間欠的に伝送することになる。
【００５３】
以上のように、共有されたセルラー基地局とセルラーネットワークとの間で音声通話が主として行われる一方、この音声通話で使用されたトランシーバー及びセルラーチャンネルが音声通話間のアイドル期間にも使用され、セルラー基地局とセルラーデータネットワークとの間でデータパケットが間欠的に伝送されることになる。
【００５４】
上記の課題を解決するために、本発明のセルラー通信システムは、上記の発明特定事項に加えて、共有された各セルラー基地局が、更に、上記の公衆パケットデータネットワークからデータパケットを受け、このデータパケットを一時的に格納するデータバッファを備え、上記データパケット通話制御手段は、上記の基地局制御手段が格納済のデータパケットを上記データバッファから読み出すのに応じて、該データパケットがアイドル状態にある上記セルラーチャンネルへ伝送されるように応答するようになっている。
【００５５】
本発明のセルラー通信システムによれば、上記説明した本発明の作用に加えて、次のような作用を有している。即ち、公衆パケットデータネットワークからは複数のデータパケットが逐次セルラー基地局に対して伝送されてくる。これらのデータパケットは、一旦、データバッファに格納される。
【００５６】
音声通話間にアイドル状態になったセルラーチャンネルが特定されると、基地局制御手段は格納済のデータパケットをデータバッファから読み出す。上記データパケット通話制御手段は、データバッファから読み出したデータパケットをアイドル状態にある上記セルラーチャンネルへ伝送する。これにより、基地局制御手段の負担が軽減され、適宜、間欠的に複数のデータ通話が可能となるので、セルラー基地局の利用がより一層増加する。
【００５７】
上記の課題を解決するために、本発明のセルラー通信システムは、本発明特定事項に加えて、上記セルラーネットワークが、共有された上記セルラー基地局の各トランシーバーが上記複数のセルラーチャンネルを有するように、所定のセルラー周波数帯域でマルチプレクシング（多重化）された複数のセルラーチャンネルを供給し、共有された各セルラー基地局が、更に、上記のデータパケット通話制御手段と協働してアイドル状態にあるセルラーチャンネルを介して上記データバッファに格納されたデータパケットを伝送するマルチプレクシング制御手段を備えている。
【００５８】
本発明のセルラー通信システムによれば、上記本発明の作用に加えて、各セルラーチャンネルは、所定のセルラー周波数帯域でマルチプレクシングされて多重化されている。したがって、セルラーチャンネルが他の通話を伝送中であっても、マルチプレクシング制御手段は、データパケット通話制御手段と協働して、データバッファに格納されたデータパケットを通話間のアイドル状態にある多重化された単一セルラーチャンネル上で伝送することができる。
【００５９】
上記の課題を解決するために、本発明のセルラー通信システムは、上記した本発明の発明特定事項に加えて、上記セルラーネットワークが、共有された上記セルラー基地局の各トランシーバーが上記複数のセルラーチャンネルを異なる所定のタイムスロットで有するように、所定のセルラー周波数帯域で時分割多重化された複数のセルラーチャンネルを供給し、共有された各セルラー基地局は、更に、上記のデータパケット通話制御手段と協働してアイドル状態にあるセルラーチャンネルを介して上記データバッファに格納されたデータパケットを上記タイムスロットで伝送するタイムスロット制御手段を備えている。
【００６０】
本発明のセルラー通信システムによれば、上記した本発明の作用に加えて、各セルラーチャンネルは、所定のセルラー周波数帯域で時分割多重化されているので、セルラーチャンネルが他の通話を伝送中であっても、タイムスロット制御手段は、データパケット通話制御手段と協働して、データバッファに格納されたデータパケットを通話間のアイドル状態にある多重化された単一セルラーチャンネル上で伝送することができる。
【００６１】
上記の課題を解決するために、本発明のセルラー通信方法は、セルラーネットワークからのセルラーネットワーク通話と、セルラーデータネットワークからのデータパケットの伝送とを行うセルラー通信方法において以下に示す工程を有している。
【００６２】
即ち、本発明のセルラー通信方法は、セルラーネットワークと共有されたセルラー基地局にセルラーデータネットワークを接続する工程と、共有された各セルラー基地局内の基地局制御手段にセルラーネットワークを接続し、共有された各セルラー基地局内のトランシーバーとの間でセルラーネットワーク通話を行う工程と、前工程で使用されたものと同じ基地局制御手段に上記セルラーデータネットワークを接続し、共有された各セルラー基地局内のトランシーバーとの間で、上記セルラーデータネットワークを介して伝送されるデータパケットを伝送する工程とを備え、上記の基地局制御手段がセルラーネットワーク通話の終了と次のセルラーネットワーク通話の開始との間のアイドル期間にあるセルラーチャンネルを特定すると、このセルラーネットワーク通話間のインターバルの間に、基地局制御手段はセルラーデータネットワークからのデータパケットをアイドル状態にある該セルラーチャンネルのトランシーバーへ選択的に伝送し、これにより、共有された各セルラー基地局内のトランシーバー及びセルラーチャンネルは主として音声通話を行うと共に、これらと同じトランシーバー及びセルラーチャンネルがセルラーデータネットワークからのデータパケットを間欠的に伝送するようになっている。
【００６３】
本発明のセルラー通信方法によれば、共有された各セルラー基地局内の基地局制御手段にセルラーネットワークが接続されると、共有された各セルラー基地局内のトランシーバーとの間でセルラーネットワーク通話が行われる。
【００６４】
上記のセルラーネットワーク通話の際に使用されたものと同じ基地局制御手段に上記セルラーデータネットワークが接続されると、共有された各セルラー基地局内のトランシーバーとの間で、データパケットがセルラーデータネットワークを介して伝送される。
【００６５】
共有されたセルラー基地局内の基地局制御手段が、セルラーネットワーク通話の終了と次のセルラーネットワーク通話の開始との間のアイドル期間にあるセルラーチャンネルを特定すると、このセルラーネットワーク通話間のインターバルの間に、基地局制御手段はセルラーデータネットワークからのデータパケットをアイドル状態にある該セルラーチャンネルのトランシーバーへ選択的に伝送する。
【００６６】
以上のように、共有された各セルラー基地局内のトランシーバー及びセルラーチャンネルは主として音声通話を行うと共に、これらと同じトランシーバー及びセルラーチャンネルがセルラーデータネットワークからのデータパケットを間欠的にアイドル期間に伝送することになる。
【００６７】
上記の課題を解決するために、本発明のセルラー通信方法は、上記の発明特定事項に加えて、共有された各セルラー基地局と上記のセルラーデータネットワークとを接続する際に、上記の公衆パケットデータネットワークからデータパケットを受け、一時的にデータバッファに格納し、選択されたセルラーチャンネルへ上記の基地局制御手段がデータパケットを伝送するまでの間、少なくとも一つのデータパケットを選択的に上記データバッファに格納し、基地局制御手段がセルラーデータネットワークからのデータパケットをアイドル状態にあるセルラーチャンネルのトランシーバーへ選択的に伝送する際に、セルラーネットワーク通話間の上記インターバルの間に、上記データバッファに格納されたデータパケットを読み出してアイドル状態にある上記セルラーチャンネルのトランシーバーへ伝送するようになっている。
【００６８】
本発明のセルラー通信方法によれば、上記した本発明の作用に加えて、音声通話間にアイドル状態になったセルラーチャンネルが特定されると、基地局制御手段は格納済のデータパケットをデータバッファから読み出す。上記データパケット通話制御手段は、データバッファから読み出したデータパケットをアイドル状態にある上記セルラーチャンネルへ伝送する。これにより、基地局制御手段の負担が軽減され、適宜間欠的に複数のデータ通話が可能となるので、セルラー基地局の利用がより一層増加する。
【００６９】
上記の課題を解決するために、本発明のセルラー通信方法は、上記の発明特定事項に加えて、上記セルラーネットワークは、所定のセルラー周波数帯域で時分割多重化された複数のセルラーチャンネルを供給し、データパケットが伝送されるセルラーチャンネル毎に、データパケットを上記の時分割に応じて挿入し、上記の基地局制御手段がセルラーデータネットワークからのデータパケットを選択的に伝送するようになっている。
【００７０】
本発明のセルラー通信方法によれば、上記の本発明に係る作用に加えて、各セルラーチャンネルは、所定のセルラー周波数帯域で時分割多重化されている。したがって、セルラーチャンネルが他の通話を伝送中であっても、通話間のアイドル状態にある多重化された単一セルラーチャンネル上で、データパケットを伝送することができる。
【００７１】
上記の課題を解決するために、本発明のセルラー通信方法は、上記の発明特定事項に加えて、上記セルラーネットワークが、所定のセルラー周波数帯域でマルチプレクシングされた複数のセルラーチャンネルを供給し、データパケットが伝送されるセルラーチャンネル毎に、データパケットをマルチプレクシングされ且つアイドル状態にある上記セルラーチャンネルへ挿入し、上記の基地局制御手段がセルラーデータネットワークからのデータパケットを選択的に伝送するようになっている。
【００７２】
本発明のセルラー通信方法によれば、上記した本発明の作用に加えて、各セルラーチャンネルは、所定のセルラー周波数帯域でマルチプレクシング（多重化）されている。したがって、セルラーチャンネルが他の通話を伝送中であっても、通話間のブランク期間に多重化された単一セルラーチャンネル上で、データパケットが伝送される。
【００７３】
上記の課題を解決するために、本発明のセルラー通信システムは、上記の発明特定事項に加えて、上記のタイムスロット制御手段が、所定の優先順位に基づいて、上記のセルラーチャンネルを介して上記のデータバッファに格納されたデータパケットを上記のタイムスロットで伝送するようになっている。
【００７４】
本発明のセルラー通信システムによれば、上記した本発明の作用に加えて、１つ以上のセルラーデータネットワーク通話がセルラー基地局を同時に通過する場合にも、所定の優先順位に基づいて確実に対処できる。
【００７５】
上記の課題を解決するために、本発明のセルラー通信システムは、上記の発明特定事項に加えて、上記優先順位が、データパケットのホールド状態の長さに基づいて決定されるようになっている。
【００７６】
本発明のセルラー通信システムによれば、上記した本発明の作用に加えて、ホールド状態が一番長いデータパケットが最優先で伝送されるので、先入れ先出し方式でデータパケットの伝送が行われる。
【００７７】
上記の課題を解決するために、本発明のセルラー通信システムは、上記した本発明の発明特定事項に加えて、上記優先順位が、上記データバッファに格納されたデータ量に基づいて決定されるようになっている。
【００７８】
本発明のセルラー通信システムによれば、上記した本発明の作用に加えて、データバッファに格納されたデータ量の多いもの順にデータパケットの伝送が行われる。例えば、非常にデータ量の多いセルラーデータネットワーク通話が続いても、データ量の多いもの順にデータパケットの伝送が行われるので、データバッファのオーバーフローを未然に回避できる。
【００７９】
【発明の実施の形態】
本発明は、第１セルラーネットワークのセルラーネットワーク通話間の短いインターバルを使用して、データ専用の第２セルラーデータネットワークとの間でセルラーデータネットワーク通話の送受信を行うセルラー通信システム及びセルラー通信方法に関するものである。
【００８０】
本発明は、第１セルラーネットワークにおいてビルトインされた能力を使用して、各通話のモニター及びトラッキングを行い、各通話間の比較的短い期間のインターバルを特定し、セルラーネットワーク通話に抵触することなく、何時、第２セルラーデータネットワークからのデータの短いバーストを伝送できるかを正確に指摘する。
【００８１】
第２セルラーデータネットワークは、別の電話交換局を含んでいる。第１セルラーネットワークのセルラー基地局のうち幾つかは、データ専用のネットワークである第２セルラーデータネットワークと共有される。大陸通信線や他の接続により、データネットワーク交換局と、共有されたセルラー基地局とがリンクされる。
【００８２】
第２セルラーデータネットワークは、公衆パケットデータネットワークを介してアクセスできることが好ましい。第２セルラーデータネットワークのセルラーデータネットワーク通話は、共有された複数のセルラー基地局へ伝送され、セルラーネットワーク通話間の短いインターバルの間に挿入される。セルラーデータネットワーク通話は、不連続な仮想接続を第２セルラーデータネットワークのユーザ間に供給する。
【００８３】
本発明の特徴は、第１セルラーネットワークの容量を減少させたり、セルラーネットワーク通話に抵触したりすることなく、セルラー基地局、トランシーバー、及び割り当てられた送信周波数／受信周波数を第１セルラーネットワークと第２セルラーデータネットワークとの間で共有することにある。本発明は、時分割多重アクセス等の多重アクセス法を採用するアナログ及びデジタルのセルラーネットワークに適用可能である。
【００８４】
本発明の実施の形態を以下に説明する。
【００８５】
図１は、本発明のセルラー通信システム例を示すブロック図である。このセルラー通信システムは、第１セルラーネットワークを含んでいる。第１セルラーネットワークは、公衆電話回線と複数の移動セルラー電話とを選択的に無線接続するように設計されている。第１セルラーネットワークは、主として、音声通信や会話通信を行うように設計されているが、モデム等を使用することによってデータ通信にも使用できる。
【００８６】
上記の第１セルラーネットワークの心臓部は、第１セルラー電話交換局１０である。第１セルラー電話交換局１０は、従来のセルラー電話交換局からなり、複数のセルラー基地局と公衆電話回線１２との間でセルラーネットワーク通話を選択的に切替えるためのものである。第１セルラー電話交換局１０は、第１地上基地電話交換局（first land-based telephone exchange ）とも称される。
【００８７】
１４は機能的幹線接続を示し、第１セルラー電話交換局１０を公衆電話回線１２にリンクさせる機能を有する。公衆電話回線１２は、従来の局部的なユーティリティネットワークであり、多数のユーザ間で選択的に電話による通話を切り替えて接続する。図１においては、第１セルラーネットワークは一般に１５で示している。
【００８８】
図１中の１８は、第１セルラー局を表している。第１セルラー局１８は、セルラー電話である。第１セルラー局１８は、第１セルラーネットワーク１５上の無線通信を第１セルラー電話交換局１０を介して当業者に公知の方法で伝送するようになっている。
【００８９】
一般に、セルラーネットワークは多くの電話加入者を有しており、電話加入者はそれぞれ第１セルラー局１８を所有している。図１には単に一つの第１セルラー局１８が示されているが、これは第１ネットワーク１５上の通信を行うように設計された多数の同様の第１セルラー局を代表しているに過ぎない。
【００９０】
第１セルラー局１８は、それぞれ、第１セルラー電話交換局１０に接続された複数のセルラー基地局の一つとの間で無線通信を行う。図１には、地上基地幹線２１、２３、２５、２７、及び２９によって、それぞれセルラー基地局２０、２２、２４、２６、及び２８が第１セルラー電話交換局１０に接続されていることが示されている。地上基地幹線は、マイクロ波や他の適当な多線通話リンクによって代用できる。
【００９１】
図１に示されたセルラー基地局２０、２２、２４、２６、及び２８は、第１セルラー電話交換局１０に接続された多数のセルラー基地局を代表しているに過ぎない。図１に示された接続線３０、３２、及び３４は、追加可能な無数のセルラー基地局（図示しない）が第１セルラー電話交換局１０に接続されることを示している。
【００９２】
当業者には明らかなように、代表的なセルラーネットワーク交換局に接続されるセルラー基地局の総数は、サービス区域、その地形、および多くのその他の要因に依存して変化する。セルラーネットワークは、通常、非常に多くのセルラー基地局を含んでおり、非常に巨大なネットワークの場合、数百あるいはそれ以上のセルラー基地局を含んでいる。本発明を説明する便宜上、セルラー基地局２０、２２、２４、２６、及び２８と、接続線３０、３２、及び３４に接続される追加のセルラー基地局とは、局部的セルラー電話ネットワーク全体の主なものを図示するものとする。
【００９３】
第１セルラー電話交換局１０は、従来のセルラー電話ネットワークの公知の特徴を有している。第１セルラー電話交換局１０の機能は、公衆電話回線１２からのセルラーネットワーク通話を受けること、及びセルラーネットワーク通話をセルラー電話ネットワーク中に伝送することにある。後者は、セルラーネットワーク通話を正確に所望のセルラー基地局へ伝送すること、及びセルラーネットワーク通話を利用可能なセルラーチャンネルに割り当てることを含んでいる。
【００９４】
第１セルラー電話交換局１０は、また、セルラー電話ネットワーク中のセルラーネットワーク通話の割当及び再割当を制御する。セルラー電話ネットワークにおいて重要な構成要素は、セルラーチャンネルモニターシステムである。
【００９５】
セルラーチャンネルモニターシステムは、セルラー電話ネットワーク内の全てのセルラーチャンネルに対して通話状態をモニターする。これにより、セルラーチャンネルモニターシステムは、何時、セルラーチャンネルが新しいセルラーネットワーク通話を割り当てることができる空（あき）状態になったかを知ることができる。
【００９６】
セルラーチャンネルモニターシステムは、セルラー基地局内に設けてもよいし、或いは、第１セルラー電話交換局１０内に設けてもよい。しかし、第１セルラー電話交換局１０は、利用可能なセルラーチャンネルにセルラーネットワーク通話を割り当てるためには、最終的に、チャンネル利用可能性に係る情報を受けて処理しなければならない。
【００９７】
チャンネル利用可能性に係る情報は、第１セルラーネットワーク１５内でセルラーチャンネルモニターと称されるもの（図１及び図２中の３５で示されるブロック参照）によって供給される。セルラーチャンネルモニター３５は、各セルラーチャンネル上の通話状態をモニターし、セルラーチャンネルが新しいセルラーネットワーク通話を受け取ることができる利用可能状態にあるときは何時でも、第１セルラー電話交換局１０との間で通信を行う。
【００９８】
セルラー電話ネットワークは、セルラー基地局を介して処理されるセルラーチャンネルをモニターするための回路を各セルラー基地局に設けている（図１、及び図２参照）。ネットワーク上の全てのセルラー基地局に対して、セルラーチャンネルをモニターする機能を第１セルラー電話交換局１０に設けているセルラー電話ネットワークもある。
【００９９】
重要なことは、各セルラーネットワーク通話に係る情報、何時セルラーネットワーク通話が終了し何時各セルラーチャンネルが新しいセルラーネットワーク通話を受け取ることができる空状態になったかを示す情報が第１セルラー電話交換局１０に供給されることにある。図１および図２のセルラーチャンネルモニター３５は、実際のモニター装置（単数又は複数）が設けられている場所に無関係に、第１セルラーネットワーク１５におけるセルラーチャンネルモニター機能を表す。
【０１００】
図１は、第１セルラーネットワーク１５において、図示されたセルラー基地局の全てに接続されている単一の第１セルラー電話交換局１０を示している。第１セルラーネットワーク１５又はサービス区域が充分に大きいか若しくは非常に多数の電話加入者を有している場合、第１セルラーネットワーク１５は、複数の第１セルラー電話交換局１０を含む構成でもよい。
【０１０１】
各セルラー電話交換局が複数のセルラー基地局の幾つかに接続されている複数のセルラー電話交換局を有するネットワークにおいては、種々様々な交換局が互いに機能的にリンクされ、これらは単一のリンクシステムの一部と考えることができる。図１中の１０で示されるブロックは、第１セルラーネットワーク１５での使用に適した、単一或いは機能的にリンクされた複数のセルラー電話交換局を意味する。
【０１０２】
第１セルラーネットワーク１５で使用されるセルラー電話交換局やセルラー基地局は、図１中の破線で示すブロック３１内に設けられた構成要素を除いて、従来のものであり、商業的にいくつかの製造業者から入手可能である。
【０１０３】
例えば、モトローラ社はセルラー基地局を提供しており、これはベースサイトコントローラ（base site controller）と称され、電子移動交換局（Electronic Mobile Exchange）パッケージと共に使用される多重チャンネル無線設備の一部として提供されている。上記の電子移動交換局パッケージは、ＥＭＸ１００ＰｌｕｓやＥＭＸ２５０、ＥＭＸ５００、ＥＭＸ２５００の名前で市場に出回っており、例えば、モトローラのRadio-Telephone Systems Group （1501, W. Shure Drive, Arlington Heights, IL 60004 ）から入手可能である。
【０１０４】
図１の第１セルラーネットワーク１５と共に使用されるタイプのセルラー基地局の別の例としては、AT&T Networks Systems 社で製造されているAUTOPLEX System 1000が挙げられる。更に他の例としては、Northern Telecom社の DMS MTX System と共に使用されるセルラー基地局があり、これはテキサス州リチャードソンのNorthern Telecom社から入手可能である。
【０１０５】
図１のセルラー基地局２８は、第１セルラーネットワーク１５と本発明の通信システムとによって使用される代表的なセルラー基地局である。セルラー基地局２８において破線ブロック３１以外の部分は、従来のセルラー基地局からなる公知の構成である。
【０１０６】
ブロック３１の構成要素は、特に図２を参照しながら以下で詳細に説明するが、本発明のセルラー通信システムおよびセルラー通信方法に関連している。第１セルラー電話交換局１０に接続された各セルラー基地局は、特定のサービス区域（即ちセル）内で無線信号の送受信を行う。この送受信の際に、複数の低出力トランシーバー４０が使用され、これら複数のうち４つのトランシーバー４０ａ、４０ｂ、４０ｃ、及び４０ｄが図１中に図示されている。
【０１０７】
ほとんどのセルラー基地局は、１００以上のトランシーバー（図示しない）を含む。各トランシーバーは、選択された所定の送信周波数／受信周波数ペアに同調する。これらの送信周波数／受信周波数ペアは、セルラー基地局の制御の及ぶ範囲内に位置する加入者のセルラー電話（第１セルラー局１８）に対して無線信号を送受信する際にも使用される。
【０１０８】
各トランシーバーは、１以上の異なるセルラーチャンネルを処理する。全てのトランシーバーは、５２で示される局アンテナを介して無線信号の送受信を行うようになっている。セルラー基地局２８内のトランシーバー４０ａ〜４０ｄは、機能的に基地局コントローラ４６に接続され、この基地局コントローラ４６によって制御されるようになっている。
【０１０９】
基地局コントローラ４６は、従来のセルラー基地局の公知の構成を有している。基地局コントローラ４６は、主な機能の１つとして、各セルラーネットワーク通話および各サービス要求を空状態にあるトランシーバーへ切り替えるようになっている。基地局コントローラ４６は、また、第１セルラー電話交換局１０との間で通話を行い、第１セルラー電話交換局１０がセルラーネットワーク通話の割り当てをモニターして伝送することを許可している。各セルラー基地局の少なくとも１つのトランシーバーは、通常、近くの移動セルラー電話からのサービス要求をモニターするために割り当てられている。
【０１１０】
セルラー電話による通話を希望する電話加入者は、セルラー電話をオン状態にし、最も近いセルラー基地局に転送されるセルラーチャンネルを要求する信号（サービス要求信号）を発する。サービス要求信号はセルラー基地局に到達し、基地局コントローラ４６は、空状態（利用可能な状態）にあるトランシーバー４０へセルラーネットワーク通話を割り当てる。基地局コントローラ４６は、加入者のセルラー電話に対して指示を送信する。指示を受けたセルラー電話は、そのセルラーネットワーク通話を処理するように割り当てられたトランシーバーによって使用される特定の送信周波数／受信周波数ペアに同調する。
【０１１１】
第１セルラー電話交換局１０からセルラー基地局２８へのセルラーネットワーク通話は、基地局コントローラ４６によって利用可能なトランシーバー４０へ切り替えられる。第１セルラー電話交換局１０からのセルラーネットワーク通話がセルラー基地局２８に到達すると、基地局コントローラ４６は、このセルラーネットワーク通話を利用可能なトランシーバーに割り当て、移動セルラー電話に指示を送信して該割り当てられたトランシーバーの送信周波数／受信周波数ペアに切り替えさせる。
【０１１２】
このようなトランシーバーの割り当て、及び周波数の切替は、第１セルラー電話交換局１０からのセルラーネットワーク通話が近隣のセルラー基地局からの引き継ぎに係るものであっても、あるいは新たに送信されたセルラーネットワーク通話であっても、実施される。
【０１１３】
なお、ここで使用されているように、セルラーチャンネルという用語は、独立したセルラーネットワーク通話を伝送することが可能な双方向無線チャンネルを意味する。
【０１１４】
アナログセルラーシステムにおいては、各セルラーチャンネルは、それぞれ異なるトランシーバーによって処理される。トランシーバーは、セルラー基地局のトランシーバーごとに割り当てられた所定周波数で、連続するアナログ無線信号を送受信する。
【０１１５】
これに対して、デジタルセルラー電話システムにおいて、各トランシーバーは、コード分割多重アクセス（Code Division Multiple Access ）等の時分割多重化又は他の多重化を使用して、複数のセルラーチャンネルを同時に処理する。
【０１１６】
つまり、アナログセルラーグシステムでは、各トランシーバーは単一のセルラーチャンネルを処理することができる一方、デジタルセルラー電話システムでは、１つのトランシーバーは多数のセルラーチャンネルを処理することが可能となる。
【０１１７】
図５は、典型的な基地局２８において、３つのセルラーチャンネルが同時に一連のセルラーネットワーク通話を伝送することを図示する時間線図である。図示したセルラーネットワーク通話の順序および期間は、従来のセルラー基地局内の１以上のトランシーバーによって伝送される実際のセルラーネットワーク通話の典型的なものを示す。
【０１１８】
垂直方向に延びる３つの時間線は、チャンネルＡ、ＢおよびＣの３つの異なるセルラーチャンネルによって伝送される一連のセルラーネットワーク通話を示すために使用されている。３つのセルラーチャンネルは、セルラー基地局２８内の別のトランシーバー４０によってそれぞれ伝送されるアナログチャンネルであってもよく、あるいは適当な多重化を使用して１以上のトランシーバーによって同時に伝送されるデジタルセルラーチャンネルであってもよい。
【０１１９】
各チャンネルは、別のセルラー電話通話を伝送することができる。これに対して、図５に示すセルラーネットワーク通話の順序は、従来のセルラーネットワークの場合を示しており、本発明のデータセルラーネットワークの動作説明のための背景をなすものである。
【０１２０】
まずはチャンネルＡであるが、図５の上方左側の時間線６０が開始する。このとき、チャンネルＡはセルラーネットワーク通話Ａ１を伝送するために使用される。セルラーネットワーク通話Ａ１の間、チャンネルＡを伝送するトランシーバーは、加入者のセルラー電話との間で、トランシーバーに割り当てられた周波数で信号の送受信を行う。セルラーネットワーク通話Ａ１は、時間線６０上の時間６２で終了する。この終了が生じるのは、電話加入者が自発的にセルラーネットワーク通話を終了するとき、あるいはセルラー基地局２８の範囲外に電話加入者のセルラー電話が移動する際に他のセルラー基地局にセルラーネットワーク通話が自動的に転送されるときである。
【０１２１】
時間線６０上の次のセルラーネットワーク通話は、時間６４で始まるセルラーネットワーク通話Ａ２である。セルラーネットワーク通話Ａ１の終了時（時間６２）とセルラーネットワーク通話Ａ２の開始時（時間６４）との間のインターバルは、チャンネルＡが使用されないアイドル期間に相当する。
【０１２２】
新しいセルラーネットワーク通話は、第１セルラー電話交換局１０か、或いは基地局コントローラ４６によってチャンネルＡに割り当てられる。どちらによって割り当てられるかは、第１セルラーネットワークのアーキテクチャーに依存する。
【０１２３】
チャンネルＡがたまたま直ぐに新しいセルラーネットワーク通話を伝送できるようになると、新しいセルラーネットワーク通話はチャンネルＡに割り当てられる。図５においては、チャンネルＡは、セルラーネットワーク通話Ａ１が終了する時間６２で利用可能な状態になる。
【０１２４】
セルラーネットワークが典型的な通話負荷状態の場合、チャンネルＡ１のアイドル期間は、セルラーネットワーク通話Ａ１が終了する時間６２と、セルラーネットワーク通話Ａ２が始まる時間６４との間で、約数秒間、続く。
【０１２５】
第１セルラーネットワーク通話間のアイドル期間が必要な理由は、セルラー基地局からセルラーネットワーク交換局に対して、利用可能な（空状態にある）チャンネルＡに関するメッセージを送信する必要があること、及び新しいセルラーネットワーク通話を上記の利用可能なチャンネルに切り替えるための時間を稼ぐ必要があることに基づいている。
【０１２６】
セルラーネットワークの通話が軽負荷であり且つ入力されるセルラーネットワーク通話が頻繁でない場合、トランシーバーは新しいセルラーネットワーク通話が割り当てられるのを待つ間（どれくらいの期間かは不定）、アイドル状態になる。
【０１２７】
時間線６０が先に進むと、セルラーネットワーク通話Ａ２が時間６６で終了後、セルラーネットワーク通話Ａ３が開始される時間６８まで、チャンネルＡはアイドル状態になる。セルラーネットワーク通話Ａ３は、時間７０で終了する。これらのセルラーネットワーク通話は、上述したセルラーネットワーク通話Ａ１と同じ方法で、それぞれチャンネルＡで起こり、チャンネルＡにそれぞれ割り当てられる。Ａ４以降のチャンネルＡのセルラーネットワーク通話も、図５に示さないが、この方法でシーケンシャルに伝送される。
【０１２８】
時間線７２は、チャンネルＡとは別の通信チャンネルであり且つ双方向の電話通話を伝送するためのチャンネルＢによって伝送されるセルラーネットワーク通話を示す。
【０１２９】
信号の多重化が行われるのであれば、チャンネルＡおよびＢは、それぞれ別のトランシーバーによって伝送されてもよいし、或いは同じ一つのトランシーバーによって伝送されてもよい。
【０１３０】
チャンネルＢ上のセルラーネットワーク通話は、チャンネルＢで起こり、上記チャンネルＡ上のセルラーネットワーク通話と同様の方法で、チャンネルＢにそれぞれ割り当てられる。
【０１３１】
チャンネルＢ上の最初のセルラーネットワーク通話Ｂ１が時間７４で終了した後、チャンネルＢはアイドル状態になる。その次のセルラーネットワーク通話Ｂ２は時間７６で始まり、そして時間７８で終了する。更にその次のセルラーネットワーク通話Ｂ３は時間８０で始まり、そして時間８２で終了する。図５に示されたチャンネルＢに関する時間線７２は、セルラーネットワーク通話Ｂ４の間に終了する。
【０１３２】
同様に、時間線８４は、チャンネルＣ上で伝送されるセルラーネットワーク通話を示している。チャンネルＣ上の最初のセルラーネットワーク通話Ｃ１が時間８６で終了した後、チャンネルＣはアイドル状態になる。その次のセルラーネットワーク通話Ｃ２は時間８８で始まり、そして時間９０で終了する。更にその次のセルラーネットワーク通話Ｃ３は時間９２で始まり、図５には図示しないが、それ以降も継続する。
【０１３３】
図５は、説明の便宜上、セルラー基地局２８によって処理される３つのセルラーチャンネルだけを図示しているが、実際には、数百あるいはそれ以上の多くのセルラーチャンネルが、セルラー基地局２８によって処理される。
【０１３４】
例えば、セルラー基地局がアナログセルラーネットワークの一部であり、１００個のトランシーバーを含む場合、最大１００個の異なるセルラーチャンネルが利用できることになる。
【０１３５】
これに対して、セルラー基地局が時分割多重化を採用するデジタルセルラーシステムの一部である場合、利用できるセルラーチャンネルの総数は、アナログの場合と比べて、数倍多くなる。簡単な説明を介して、時分割多重アクセス（Time Division Multiple Access ）として知られ、時分割多重化を提供するセルラー送信基準の一つの概念を以下に説明する。
【０１３６】
時分割多重アクセス送信基準を使用し、シーケンシャルなメッセージフレームが、適当な同期コードと共に、各トランシーバーによって転送される。各デジタル化されたメッセージフレームを転送するためには、４０ｍｓが必要であり、図３のように構成されている。
【０１３７】
Ｘ、ＹおよびＺで表される３つの別々のセルラーチャンネルは、１つのトランシーバーによって、６つの異なるタイムスロット（Ｔ／スロット）でそれぞれ伝送される。これら６つのタイムスロットは、それぞれ６．６７ｍｓの期間を有している。
【０１３８】
タイムスロット０および３でセルラーチャンネルＸが処理され、タイムスロット１および４でセルラーチャンネルＹが処理され、そしてタイムスロット２および５でセルラーチャンネルＺが処理される。デジタル化されたセルラーネットワーク通話は、それぞれ割り当てられたタイムスロットで送受信される。
【０１３９】
時分割多重アクセス送信基準は、６つのタイムスロットで６つの異なるチャンネルの伝送の切替を行うよう企図されている。通常の動作中、セルラー基地局２８内のトランシーバーが時分割多重アクセスフォーマットを使用して複数のセルラーネットワーク通話を伝送している場合、セルラー基地局２８内のトランシーバーは、セルラーネットワーク通話が３つのうち少なくとも一つのチャンネル上を伝送されている限り、上記複数のセルラーネットワーク通話の伝送を維持するようになっている。
【０１４０】
チャンネルのうちの１つがアイドル状態になると、図５中のチャンネルＡの時間６２のように、新しいセルラーネットワーク通話がそのチャンネルによって伝送が開始されるまでの間、割り当てられたタイムスロットで、如何なるメッセージも転送されない。
【０１４１】
本発明は、セルラー基地局内のトランシーバーやセルラーチャンネルを使用し、ネットワーク通話間のアイドル期間（あるいはアイドルインターバル）にデジタル情報をデータパケットの形態で伝送することによって、セルラーネットワーク内のセルラー基地局の利用を増加させるシステムと方法とをそれぞれ提供するものである。
【０１４２】
本発明は、図１の右側におおよそ示された第２セルラーデータネットワーク８０を提供するものである。第２セルラーデータネットワーク８０は、公衆交換パケットデータネットワーク（public switched packet data network ）８１としても知られる公衆パケットデータネットワークの一部として使用されるように意図されている。
【０１４３】
公衆交換パケットデータネットワーク８１は、データのみの通話のための公衆電話交換局である。公衆交換パケットデータネットワーク８１は、データ通話用の公衆電話回線を使用する代わりに、低コストの方法をユーザーに提供するものである。
【０１４４】
公衆交換パケットデータネットワークを採用する根拠は、公衆電話回線あるいは専用の公衆交換パケットデータネットワーク線を介して、データ通話を短い（short-duration）データパケットにパケット化し、このデータパケットを間欠的な短いバーストで送信するができることに基づいている。
【０１４５】
ここで使用されているように、データパケットという用語は、所定のプロトコルに基づいて、符号化と復号化とが行えるデジタル情報の短いバーストのみから構成されている。データパケットは、最小コストで大量の情報を通信線を介して転送することができる。
【０１４６】
第２セルラーデータネットワーク８０は、好ましくはデータパケット（またはパケットデータと称す）の形態で、コンピュータ等の間でデータ通話を行うように設計されている。コンピュータ７９は、公衆交換パケットデータネットワーク８１を介してアドレスコードやアクセス番号をダイヤルすることによって、他のコンピュータ８３との間で通信することができる。
【０１４７】
公衆交換パケットデータネットワーク８１は、本発明の第２セルラーデータネットワーク８０の一部であるセルラーデータ電話交換局９３に、コンピュータ７９を接続する。第１セルラー電話交換局１０が第１セルラーネットワーク１５において果たすのと同様の機能を、セルラーデータ電話交換局９３は第２セルラーデータネットワーク８０において果たす。
【０１４８】
セルラーデータ電話交換局９３は、第１セルラーネットワーク１５によって使用されるセルラー基地局の１つあるいはそれ以上と接続される。図１においては、セルラー基地局２０、２２、２４、２６および２８が、大陸通信線８７、８８、８９、９０および９１（マイクロ波、あるいは同様の接続でもよい）を介して、それぞれセルラーデータ電話交換局９３に接続されているように図示されている。
【０１４９】
これらのセルラー基地局は、また、第１セルラー電話交換局１０に接続され、第１セルラー電話交換局１０と共有されている。セルラーデータ電話交換局９３は、接続線９２、９４および９６を介して、他のセルラー基地局（図示しない）に接続されてもよい。接続線９２、９４および９６に接続される追加のセルラー基地局は、接続線３０、３２、３４によって第１セルラー電話交換局１０に接続されるセルラー基地局と同じものであってもよく、あるいは第１セルラー電話交換局１０に接続されない異なるセルラー基地局であってもよい。
【０１５０】
第１セルラーネットワーク１５のように、セルラーデータ電話交換局９３に接続されるセルラー基地局の総数は、第２セルラーデータネットワーク８０が供給されるサービス区域の規模、地形、顧客数、および他の特性に依存して変化する。
【０１５１】
第２セルラーデータネットワーク８０は、例えば、第１セルラーネットワーク１５と同じサービス区域に供給されてもよいし、あるいは第１セルラーネットワーク１５よりも大きいか、または小さいサービス区域に供給されてもよい。本発明では、２つのネットワーク１５・８０間でセルラー基地局の幾つかを共有するように企図されている。勿論、２つのネットワーク間でセルラー基地局の全てを共有するように企図されていてもよい。
【０１５２】
例えば、本実施の形態では、２つのネットワーク１５・８０間で、セルラー基地局２０、２２、２４、２６および２８が、共有されている。第２セルラーデータネットワーク８０は、１つあるいはそれ以上の隣接する複数のセルラーネットワーク（例えば、第１セルラーネットワーク１５）と部分的に重なるように設けられていてもよく、また幾つかのセルラー基地局を各ネットークとの間で共有してもよい。第２セルラーデータネットワーク８０の構成に関係なく、セルラー基地局２８は、両方のネットワークによって使用される共有のセルラー基地局であると仮定する。
【０１５３】
図１および図２は、第２セルラーデータネットワーク８０、および、共有されたセルラー基地局２８をそれぞれ構成する様々な構成要素を示している。
【０１５４】
第１セルラー電話交換局１０からのセルラーネットワーク通話は、第１ポート１０１を介してセルラー基地局２８に到達する。セルラーネットワーク通話は、基地局コントローラ４６へ送られる。基地局コントローラ４６はトランシーバスイッチ１０６を含み（図２参照）、このトランシーバスイッチ１０６は様々なセルラー基地局のトランシーバー間で多重並列回路を切り替え、第１セルラー電話交換局１０との間でセルラーネットワーク通話を伝送する。
【０１５５】
トランシーバスイッチ１０６は、切替制御回路１０７に機能的に接続され、この切替制御回路１０７によって制御される。切替制御回路１０７は第１セルラー電話交換局１０によって制御され、セルラーネットワーク通話を完結するために必要なトランシーバーの相互接続が指示される。
【０１５６】
各セルラーネットワーク通話は、選択されたトランシーバーに割り当てられる。この際、トランシーバの選択は、該トランシーバがセルラーネットワーク通話を伝送できるアイドル状態にあるセルラーチャンネルを有するか否かに基づいて行われる。
【０１５７】
第１セルラーネットワーク１５は時分割多重化を採用しており、セルラーネットワーク通話は、セルラー電話交換局（図２中の破線ブロック１０８）で時分割符号化されるか、或いは、セルラー基地局（図２中の破線ブロック１０９）で時分割符号化されるかの何れかである。図２においては、上記の破線ブロック１０８は時分割アクセス（Time Division Multiple Access ）で表されているが、本発明はこれに限定されるものではなく、他の適当な符号化プロトコルを使用してもよい。
【０１５８】
図２では、セルラー基地局２８内のブロック１０９は、マルチプレクサとして表されており、時分割アクセス等のデジタル多重化を採用するネットワークにおいて幾つかの機能を果たす。
【０１５９】
マルチプレクサ１０９は、トランシーバスイッチ１０６と一体的に機能するタイムスロットモニターであり、次の処理を保証する。即ち、各セルラーネットワーク通話を伝送するように割り当てられたセルラーチャンネルの正確なタイムスロットへセルラーネットワーク通話が挿入されたり、或いはこの正確なタイムスロットからセルラーネットワーク通話が摘出されたりすることが保証される。
【０１６０】
マルチプレクサ１０９は、タイムスロットコントローラとも称される。通常の符号化／復号化の機能はセルラー基地局内の各トランシーバーに設けられるが、タイムスロットコントローラとしてのマルチプレクサ１０９は、トランシーバーとの間での通話に先立ってセルラーネットワーク通話の符号化／復号化する回路を含んでいる。
【０１６１】
説明の便宜上、図１及び図２においては、各トランシーバーは別々のマルチプレクサを有するように示されていないが、この分野の当業者であれば、ネットワーク内の各トランシーバーで、デジタル多重化、多重チャンネルの符号化、復号化が行われることは明らかである。
【０１６２】
１０９のブロックの機能としては、セルラー基地局２８を通過する全てのセルラーネットワーク通話に対して、多重化を行うこと、及びセルラー基地局２８によって処理される全てのセルラーチャンネルのタイムスロットをモニターすることが挙げられる。符号化／複合化回路の物理的な配置は、セルラー基地局内の適したところであればどこでもよい。
【０１６３】
セルラーデータ電話交換局９３からのセルラーデータネットワーク通話は第２ポート１０２を介してセルラー基地局２８へ到達し、そしてデータ通話コントローラ１０３と称される第２コントローラへ送られる。
【０１６４】
データ通話コントローラ１０３の機能としては、セルラーチャンネルが利用可能な状態になるまでデータパケット（第２のネットワーク通話情報）を一時的に格納するように指示すること、正しい時間でデータパケットの送出を行うように指示すること、及びセルラーデータネットワーク通話を正しいチャンネル及びトランシーバーへ送るように指示することが挙げられる。
【０１６５】
データ通話コントローラ１０３は、基地局コントローラ４６の切替制御回路１０７に機能的に接続されている。データ通話コントローラ１０３は、通信線１１１を介してセルラーチャンネルモニター３５に機能的に接続されている。
【０１６６】
セルラーチャンネルモニター３５は、セルラーネットワーク通話が何時終了し、何時、セルラーネットワーク通話間の各インターバルの間で、セルラーチャンネルが新しいセルラーネットワーク通話の伝送を行うことができるかについての情報を供給する。データ通話コントローラ１０３は、またデータバッファ１３０、１３２に機能的に接続されている。
【０１６７】
データバッファ１３０は、セルラーデータ電話交換局９３を介して公衆交換パケットデータネットワーク８１からセルラー基地局へ到着するセルラーデータネットワーク通話からデータパケットを受け取り、一時的に格納する。最後に、挿入摘出回路１０４（以下、単に、挿入回路１０４と称す）は、データ通話挿入／摘出通信線１１５を介して、機能的にトランシーバースイッチ１０６に接続されている。
【０１６８】
挿入回路１０４は、スイッチング装置であり、データバッファ１３０、１３２からの通信線１３６を基地局コントローラ４６内のトランシーバースイッチ１０６に短期間接続する。トランシーバースイッチ１０６と挿入回路１０４とは、選択的に、データパケットの挿入、又は摘出をトランシーバーコールバス１０５に対して行う。
【０１６９】
トランシーバーコールバス１０５は、セルラー基地局内のトランシーバー４０ａ〜４０ｄとの間で、セルラーネットワーク通話の伝送を行う。データバッファ１３０、１３２とトランシーバースイッチ１０６との間の短い接続が完了すると、選択されたトランシーバー４０との間でデータパケットの授受が行われる。
【０１７０】
挿入回路１０４の動作は、セルラーチャンネルの空状態に係る情報に基づいて、通信線１２９を介してデータ通話コントローラ１０３によって制御される。挿入回路１０４は、トランシーバースイッチ１０６との間でデータの授受を行うようになっている。
【０１７１】
時分割アクセスのような通話の多重化を採用するセルラーネットワークにおいて、挿入回路１０４はトランシーバースイッチ１０６を介してマルチプレクサ１０９と協働して動作する。これにより、データバッファ１３０、１３２との間で伝送されるデータパケットは、セルラーデータネットワーク通話の伝送用に割り当てられた空状態にあるセルラーチャンネルのタイムスロットに正確に割り当てられる。
【０１７２】
移動セルラー局８５は、セルラーデータネットワークのための移動電話加入者ユニットとも呼ばれ、その概略が図２に図示されている。
【０１７３】
移動セルラー局８５は、電話加入者のコンピュータ８３からのセルラーデータネットワーク通話を送受信するように設計されたセルラー電話である。実際に、移動セルラー局８５は、適当なモデム７７に接続されたセルラー電話であってもよいし、或いはセルラーデータネットワーク通話のみのための専用ユニットであってもよい。
【０１７４】
時分割多重化を採用するセルラーデータネットワーク上で使用される場合、適当な時分割多重アクセスの符号化／復号化回路１４２か、あるいは、第２セルラーデータネットワーク８０で使用されるシステムと矛盾しない別のタイプのマルチプレクサが、移動セルラー局８５に含まれてもよい。時分割多重アクセスユニットは、図２においては、破線ブロックで描かれている。電話加入者のコンピュータ８３からのデータは、局アンテナ１３３を経由して移動セルラー局８５を介して送受信される。
【０１７５】
第２セルラーデータネットワーク８０の動作に係る以下の説明は、第１セルラーネットワーク１５が、各セルラー基地局の各トランシーバーが単一の双方向電話通話を伝送するアナログセルラーネットワークであることを仮定している。
【０１７６】
ここでは、第２セルラーデータネットワーク８０上のセルラーデータネットワーク通話は、セルラーデータネットワーク通話を電話加入者のコンピュータ８３に指示するコンピュータ７９のユーザーによって生じるものとする。ユーザーは、移動セルラー局８５に対して適切なアドレスコードを入力する。セルラーデータネットワーク通話は公衆交換パケットデータネットワーク８１を介してセルラーデータ電話交換局９３へ伝送される。セルラーデータ電話交換局９３は移動セルラー局８５をセルラー基地局２８の範囲内で検索し、位置を特定する。
【０１７７】
地上基地（land-based）コンピュータ７９と、移動型の電話加入者のコンピュータ８３との間で、データパス（data path ）がセルラー基地局２８を介して確立されたら、セルラーデータネットワーク通話は完結する。第２セルラーデータネットワーク８０上では、セルラーデータネットワーク通話の実際の流れは間欠的であるが、セルラーデータ電話交換局９３は、第２セルラーデータネットワーク８０を介して間欠的な接続をトラッキングする。
【０１７８】
コンピュータ７９から電話加入者のコンピュータ８３へ向かってデータが流れるとき、データは最初に、公衆交換パケットデータネットワーク８１を通過し、ここでパケット化される。それから、データパケットは、セルラーデータ電話交換局９３へ伝送され、ここで、セルラー基地局２８へ伝送される。各データパケットは、第２ポート１０２を介してセルラー基地局２８へ到達する。セルラー基地局２８によって伝送されるセルラーネットワーク通話間のインターバルの間に、セルラーチャンネルが利用可能な空状態になるまで、各データパケットは、データバッファ１３０に格納される。
【０１７９】
セルラーチャンネルモニター３５がセルラーネットワーク通話の終了を検出するまで、基地局コントローラ４６は第１セルラーネットワーク１５の全てのセルラーチャンネルの状態をモニターする。セルラーネットワーク通話の終了時に、セルラーチャンネルはセルラーデータネットワーク通話を伝送できる状態になる。セルラーチャンネル上のセルラーネットワーク通話の終了から新しいセルラーネットワーク通話がそのセルラーチャンネルに割り当てられるまでの間のインターバルには、数秒間の遅延が存在する。
【０１８０】
セルラーチャンネルが利用可能な空状態にあることを第１セルラー電話交換局１０へ伝えるため且つ新しいセルラーネットワーク通話をセルラー基地局２８へ伝送して空状態にあるトランシーバー４０へ切り替えるためには、空状態にあるセルラーチャンネルを特定する第１セルラーネットワーク１５が必要である。
【０１８１】
新しいセルラーネットワーク通話がトランシーバーに割り当てられるのに先立って、データ通話コントローラ１０３は、データバッファ１３０から格納済のデータパケットを読み出し、挿入回路１０４を介して利用可能なトランシーバーへ送る。挿入回路１０４は、データバッファ１３０からの通信線１３６をトランシーバースイッチ１０６へ接続する。データ通話コントローラ１０３は、トランシーバーにオンするように指示し、データパケットを局アンテナ５２を介して移動セルラー局８５へ伝送する。
【０１８２】
トランシーバーにデータパケットを伝送するように指示するための回路は、選択されたトランシーバー内に設けてもよいし、他のところに設けてもよい。一旦データパケットが送信されると、移動セルラー局８５は局アンテナ１３３を介してデータパケットを受信し、それを電話加入者のコンピュータ８３へ伝送するようになっている。これと同時に、データが双方向に交換されていると仮定すれば、データパケットは、電話加入者のコンピュータ８３からコンピュータ７９へ第２セルラーデータネットワーク８０を介して、移動する。
【０１８３】
電話加入者のコンピュータ８３から発信されるセルラーデータネットワーク通話は、まず、移動セルラー局８５を通過し、ここで、局アンテナ１３３を介してサービス要求信号が送信される。セルラー基地局２８が最も近いセルラー基地局であると仮定すれば、局アンテナ５２は、その目的のため確保された適当なチャンネル上で、サービス要求信号を受信する。
【０１８４】
メッセージは、論理回路へ送られ、ここで、セルラーデータネットワーク通話を伝送するトランシーバーが割り当てられる。この論理回路は、セルラー基地局２８内か、或いは第１セルラー電話交換局１０の何れかに設けられる。それから、利用可能なトランシーバーが、そのセルラーデータネットワーク通話を伝送するように割り当てられる。
【０１８５】
移動セルラー局８５は、そのトランシーバーに適切な送信周波数／受信周波数に同調するように指示される。セルラーチャンネルがセルラーデータネットワーク通話を伝送できるようになるまでは、セルラーデータネットワーク通話は如何なるトランシーバーにも割り当てられない。基地局コントローラ４６に、通常、設けられている複数のトランシーバーの動作を制御するためのトランシーバー制御回路、及びセルラーネットワーク通話間の各インターバルを特定するためのセルラーチャンネルモニター３５によって、利用可能なセルラーチャンネルが特定される。
【０１８６】
トランシーバー上でインターバルが検出されると、そのトランシーバーは直ちにオン状態になり、移動セルラー局８５からデータパケットを受信するように指示される。トランシーバーの送信周波数／受信周波数に同調する指示が移動セルラー局８５に送られ、データパケットが、局アンテナ５２を介して、割り当てられたトランシーバーへ転送される。
【０１８７】
挿入回路１０４は、直ちに、通信線１３６を介してトランシーバーをデータバッファ１３２に接続する。１つあるいはそれ以上のデータパケットが摘出されるとすぐに、挿入回路１０４はトランシーバースイッチ１０６における接続を通常の位置に戻す。この接続が通常の位置にあれば、次のセルラーネットワーク通話の伝送が行える状態にある。
【０１８８】
データバッファ１３２はセルラー基地局２８に設けられた入力用のデータバッファであり、ここで、移動電話加入者からのデータパケットが一時的に格納される。データバッファ１３２を設けることはオプションである。なぜなら、セルラーデータ電話交換局９３及び公衆交換パケットデータネットワーク８１を介して、セルラー基地局２８とコンピュータ７９との間を接続する大陸通信線や他の接続手段が、通常設けられているからである。
【０１８９】
言い換えれば、局アンテナ５２を介してセルラー基地局２８に到達するデータパケットは、通常、直ちに、受け手のコンピュータ７９に転送され得る。しかしながら、セルラー基地局２８に対して入出力されるデータパケットの交換に同期するためには、データバッファ１３２を有することが望ましい。
【０１９０】
第１セルラーネットワーク１５が時分割多重化を採用する場合、各セルラーチャンネルは、利用可能なチャンネルに対応する、選択されたトランシーバー及びタイムスロットの両方をアドレスすることによってアクセスされる。
【０１９１】
図２においては、トランシーバースイッチ１０６はマルチプレクサ１０９を含んでいる。マルチプレクサ１０９は、時分割多重化を採用するセルラーシステム内のトランシーバースイッチ１０６と一体的に機能するようになっている。マルチプレクサ１０９は、セルラー基地局２８内のタイムスロットモニター装置として機能する。
【０１９２】
つまり、マルチプレクサ１０９は、各トランシーバー４０ａ〜４０ｄによって処理される多重チャンネルをモニターする。基地局コントローラ４６の一部として、マルチプレクサ１０９は、セルラーネットワーク通話が割り当てられるセルラーチャンネルに対して、正確なタイムスロットで、セルラーネットワーク通話が挿入されることを保証するものである。マルチプレクサ１０９は、トランシーバースイッチ１０６内で、データ通話コントローラ１０３によって処理されるセルラーデータネットワーク通話に対して多重同期機能を付与する。
【０１９３】
図２の破線で示す１２５は、挿入回路１０４とマルチプレクサ１０９との間で供給される機能的接続を図示している。この破線で示す機能的接続１２５によって、挿入回路１０４がマルチプレクサ１０９と協働して動作し、セルラーデータネットワーク通話が、確実に、正しいタイムスロットで、挿入されるべきセルラーチャンネルに割り当てられることになる。
【０１９４】
１２５で表される機能的接続は、実際には、データ通話コントローラ１０３、切替制御回路１０７、及びトランシーバースイッチ１０６間の接続と、データ通話コントローラ１０３と挿入回路１０４との間の通信線１２９によって図示される接続とによって実現される。機能的接続１２５の機能は、実際の接続がどうであれ、セルラーデータネットワーク通話が、正しいタイムスロットで、割り当てられるべきセルラーチャンネルに割り当てられることを保証することにある。
【０１９５】
時分割多重化ネットワークにおいては、各移動セルラー局８５は、それ自身の時分割多重アクセスユニット、又はネットワークのマルチプレクサ符号化／復号化回路に同期した矛盾しない他のマルチプレクサ符号化／復号化回路１４２を含む。これにより、確実に、各データパケットが正確に再生され、コンピュータ７９に転送される。図２においては、時分割多重アクセスユニットであるマルチプレクサ符号化／復号化回路１４２は、破線で示されており、多重通話を採用するデジタルセルラーネットワークの場合にのみ使用される。
【０１９６】
図４は、一つのセルラーデータネットワーク通話がどのようにして間欠的に、セルラーネットワーク通話に抵触せずに、３つの異なるセルラーチャンネルによって伝送されるかを示している。図示されたセルラーネットワーク通話は、図５に関して示し、以前に説明したものと同じである。
【０１９７】
図示したセルラーデータネットワーク通話１５０は、３つの異なるセルラーチャンネルＡ、Ｂ、及びＣを介して行われる離散的、間欠的な一連の処理として図示されている。セルラーデータネットワーク通話１５０は、決して、同じセルラーチャンネルを介して伝送されるセルラーネットワーク通話Ａ１、Ａ２、Ａ３、Ｂ１、Ｂ２、Ｂ３、Ｃ１、及びＣ２には抵触しない。
【０１９８】
図５の場合と同様に、セルラーチャンネルＡ、ＢおよびＣは、アナログセルラーネットワークの場合のように別々のトランシーバーによって伝送されるか、或いは別のトランシーバー又は同じトランシーバーによって伝送される時分割多重ネットワーク内の別のチャンネルによって伝送されるセルラーチャンネルを表している。
【０１９９】
図４の上方で、破線で図示されたセルラーデータネットワーク通話１５０は、ホールド状態にあり、セルラーチャンネルが利用可能な空状態になるのを待っている。上記ホールド状態にある間、コンピュータ７９からセルラー基地局２８へ送られてくるセルラーデータネットワーク通話は、セルラーチャンネルが利用可能な空状態になるまで、データバッファ１３０に格納される。
【０２００】
電話加入者のコンピュータ８３からセルラー基地局２８へ送られてくるセルラーデータネットワーク通話は、セルラーチャンネルが利用可能な空状態になるまで、電話加入者のコンピュータ８３内又は移動セルラー局８５内の適当なバッファ（図示しない）に格納されなければならない。コンピュータ７９と電話加入者のコンピュータ８３との間で授受が行われるセルラーデータネットワーク通話は、セルラーチャンネルが利用可能な空状態にあるときのみ、間欠的に交換され伝送される。
【０２０１】
図４の例においては、チャンネルＡは、セルラーネットワーク通話Ａ１が時間６２で終了すると同時に利用可能な空状態になる。時間６２と時間６４の間で、チャンネルＡは、通常アイドル状態になる。基地局コントローラ４６とセルラーチャンネルモニター３５とは、時間６２でセルラーネットワーク通話Ａ１の終了を認知した後、データ通話コントローラ１０３に対してメッセージを送信し、チャンネルＡがセルラーネットワーク通話間のインターバルにあることを通知する。
【０２０２】
データ通話コントローラ１０３は、データバッファ１３０に対して、セルラーデータネットワーク通話１５０に関して格納されているデータパケットを読み出しを行い、通信線１３６、挿入回路１０４、トランシーバースイッチ１０６、及びトランシーバーコールバス１０５を介して、チャンネルＡに係るトランシーバーへ送るように指示する。チャンネルＡを介して、時間６２ａでの時間線６０で示すように、データパケットの授受が電話加入者のコンピュータ８３との間で行われる。
【０２０３】
時間６２ａで始まる短いインターバルの最後の時間６２ｂで、チャンネルＡはアイドル状態に戻る。時間６２ａと時間６２ｂとの間のインターバルは、５秒間未満であるべきであり、好ましくは、約２秒間未満である。このようなインターバルは、セルラーネットワーク通話間の通例のアイドル期間よりも短い。
【０２０４】
データ通話コントローラ１０３が短いセルラーデータネットワーク通話をチャンネルＡに挿入する方が、第１セルラーネットワーク１５が新しいセルラーネットワーク通話をチャンネルＡに割り当てるよりも短い時間で行える理由の一つとして、セルラー基地局２８内で、データ通話コントローラ１０３によって速やかにデータバッファ１３０に格納されたデータパケットが再生されて伝送されることが挙げられる。
【０２０５】
基地局コントローラ４６が第１セルラー電話交換局１０に対してチャンネルを利用できることを通知する方が、より多くの時間を要する。なぜなら、これは、基地局コントローラ４６は、第１セルラー電話交換局１０へのメッセージを準備し、新しいセルラーネットワーク通話がセルラー基地局に割り当てられたことを確認した後に、そのセルラーネットワーク通話を利用可能な空状態にあるチャンネルに切り替えなければならないからである。これに起因する時間差は大きくはないが、複数のデータパケットの授受が速やかに且つセルラーネットワーク通話の伝送に抵触せずに行われるのに充分な時間である。
【０２０６】
データパケットが送信され、時間６２ｂで、セルラーデータネットワーク通話１５０の一部として受信された後は、別のチャンネルが利用可能な空状態になるまで、チャンネルＡは再びホールド状態になる。
【０２０７】
図４においては、３つのチャンネルＡ、Ｂ、及びＣが次に利用可能な空状態になるアイドル期間は、チャンネルＢ上の時間７４においてである。時間７４で、基地局コントローラ４６（図２参照）は、データ通話コントローラ１０３に対して、チャンネルＢがアイドル状態にあることを通知する。
【０２０８】
データ通話コントローラ１０３は、セルラーデータネットワーク通話１５０に関連する格納済の複数のデータパケットをデータバッファ１３０から読み出し、チャンネルＢを伝送する適切なトランシーバーへ適切なタイムスロットで伝送する。セルラーデータネットワーク通話１５０に関する２回目のデータパケットの授受は、時間７４ａと時間７４ｂとの間で行われる。
【０２０９】
チャンネルＡで時間６２ａと時間６２ｂとの間でデータパケットの授受が行われた後、チャンネルＢが時間７４ｂでアイドル状態になる。セルラーデータネットワーク通話１５０は、再び、ホールド状態になり、データ通話コントローラ１０３は、再び、データバッファ１３０に対して、他のチャンネルが利用可能な空状態になるまで、セルラーデータネットワーク通話１５０に関連するデータパケットの格納の追加を行うように指示する。
【０２１０】
図４の例では、時間８６で、チャンネルＣにおいて、次に利用可能な空状態が到来する。チャンネルＣは、時間８６ａと時間８６ｂとの間で、セルラーデータネットワーク通話の伝送が行える状態になる。セルラーデータネットワーク通話１５０に関する３回目のデータパケットの授受は、時間８６ａと時間８６ｂとの間でチャンネルＣを介して行われる。
【０２１１】
上述の手順が繰り返され、図４に図示された一連のデータパケットの授受が行われる。チャンネルＢは、時間７８ａから時間７８ｂまでの間、データパケットの授受が可能となる。セルラーデータネットワーク通話１５０に関する４回目のデータパケットの授受は、時間７８ａと時間７８ｂとの間でチャンネルＢを介して行われる。
【０２１２】
チャンネルＡは、時間６６ａから時間６６ｂまでの間、データパケット授受が可能となる。セルラーデータネットワーク通話１５０に関する５回目のデータパケットの授受は、時間６６ａと時間６６ｂとの間でチャンネルＡを介して行われる。同様に、チャンネルＣは、時間９０ａから時間９０ｂまでの間、データパケット授受が可能となる。セルラーデータネットワーク通話１５０に関する６回目のデータパケットの授受は、時間９０ａと時間９０ｂとの間でチャンネルＣを介して行われる。図４に図示された例で、セルラーデータネットワーク通話１５０は、チャンネルＣ上で、データパケットの授受が時間９０ａと時間９０ｂとの間で完了すると同時に終了する。
【０２１３】
基地局コントローラ４６とデータ通話コントローラ１０３とは、セルラー基地局２８内のどのトランシーバー４０へもセルラーデータネットワーク通話を伝送することができると共に、セルラーデータネットワーク通話を時分割多重化によりどのタイムスロットでも伝送することができる。
【０２１４】
多重同時データ通話は、データ通話コントローラ１０３と基地局コントローラ４６とに各データ通話をトラッキングさせることによって処理される。なぜなら、各データ通話は多重セルラーチャンネルを介して伝送されるからである。
【０２１５】
１つ以上のセルラーデータネットワーク通話がセルラー基地局２８を同時に通過することもあるので、タイムスロットが利用可能な状態になったとき、データ通話コントローラ１０３は、予めタイムスロットの優先順位を決めておく必要がある。
【０２１６】
例えば、ホールド状態が一番長いものを最優先のセルラーデータネットワーク通話とすることができる。換言すれば、先入れ先出し方式に基づいて優先順位を決定する。
【０２１７】
或いは、データバッファ１３０に格納されたデータ量の多いもの順に優先順位を決定してもよい。例えば、非常にアクティブなセルラーデータネットワーク通話が続き、その結果データバッファ１３０がオーバーフローするような場合、データ通話コントローラ１０３はコンピュータ７９に対して信号を送り、データバッファ１３０がクリアされるまでの間、データ伝送を中止するように指示すればよい。どのようなセルラーデータネットワーク通話の場合でも、セルラーネットワーク通話間にインターバルが生じたときに、データバッファ１３０内のオーバーフロー状態は、そのような通話に対して次に転送することができる優先権を与える。
【０２１８】
或いは、通話の優先順位は、所望サービスのレベルに応じてユーザが支払う料金に基づいて決定してもよい。このような優先順位の決定方法においては、最も高いレートの料金を支払うセルラーデータネットワーク通話が、最も高い優先順位を獲得することになる。
【０２１９】
これらの優先順位決定のオプションは、いかに多重同時データ通話がセルラー基地局内で処理されるかを示す例であり、本発明はこれらに限定されるものではなく、他の優先順位に基づいて、多重同時データ通話を処理してもよい。
【０２２０】
各セルラーデータネットワーク通話は間欠的なデータパケットの授受のように一連の不連続性を有するゆえ、セルラーデータネットワークは高品質な音声又はアナログ通話には適さない一方、コンピュータデータリンク等には理想的である。勿論、セルラーデータネットワークを介して、非常に低品質の音声通話は可能である。
【０２２１】
コンピュータ間のデータ通話は、しばしば、不使用に起因する長いインターバルを有するので、連続して接続することは不要であり、無駄であり、費用が嵩むことになる。それどころか、データ通話は、数秒間程度のインターバルで一連のデータパケットとして伝送されるので、ユーザには、連続した通話のように感じられ、ユーザ間の仮想接続（virtual connection）が確立される。
【０２２２】
本発明は、また、主として音声または会話の通信用として設計された第１セルラーネットワーク１５等のセルラー通信システムにおいて、複数のセルラーチャンネルを共有する通信方法を供給するものである。
【０２２３】
図１に示すように、その通信方法は、複数のセルラー基地局（セルラー基地局２０、２２、２４、２６、２８等であり、通信線３０、３２および３４に接続されるセルラー基地局も含む）に機能的に接続された従来のセルラーネットワークを使用して実現される。
【０２２４】
セルラー基地局は、それぞれ、選択された所定周波数で、限られたサービス区域上の無線信号を送受信し、セルラー電話である第１セルラー局１８との間でセルラーネットワーク通話の伝送を行うための複数のセルラーチャンネルを供給するものである。
【０２２５】
本発明の通信方法は、選択的に、間欠したセルラー通信を提供するように設計されたセルラーデータネットワークとの間で、少なくとも幾つかのセルラー基地局を共有する工程を含んでいる。図１および図２においては、セルラー基地局２０、２２、２４、２６および２８が、セルラーネットワーク（第１セルラーネットワーク１５）とセルラーデータネットワークとの間で共有されている。本実施の形態においては、セルラーデータネットワークは第２セルラーデータネットワーク８０で表されている。
【０２２６】
第２セルラーデータネットワーク８０は、公衆パケットデータネットワークと、移動セルラー局８５を所有するデータネットワーク加入者との間でセルラー通信を供給するように設計されている。図１においては、公衆パケットデータネットワークは公衆交換パケットデータネットワーク８１で表されている。
【０２２７】
上記の共有工程は、大陸通信線８７、８８、８９、９０および９１を介して、セルラーデータ電話交換局９３と、共有されたセルラー基地局２２、２４、２６および２８とが機能的に相互接続されることによってなし遂げられる。そして、次の工程で、セルラーデータ通話の送受信（授受）が、共有されたセルラー基地局において行われる。
【０２２８】
データパケットの送受信は、図４を参照して以前に説明したように、図１の３１のブロックで示す回路を使用して、セルラーネットワーク通話間のインターバルの間に、選択された第１セルラーネットワークのセルラーチャンネルを介して行われる。この通信方法によれば、間欠的なセルラーデータチャンネルが供給される。このセルラーデータチャンネルは、第１セルラーネットワーク内で第１セルラーネットワークによって使用されるのと同じセルラーチャンネルと同じ所定周波数を使用して、セルラーデータ通話を伝送する。
【０２２９】
上記の通信方法において、各共有されたセルラー基地局に設けられた複数のトランシーバーから選択された複数のトランシーバへセルラーデータ通話を伝送する工程を含むことが好ましい。これらのトランシーバーは、第１セルラーネットワークの複数のセルラーチャンネルを介して伝送される無線信号の送受信を行う。
【０２３０】
第１セルラーネットワークがアナログ信号の送受信を行うと共に各トランシーバーが単一のセルラーチャンネルを有する場合、上記の通信方法は、第１ネットワーク通話間の複数のインターバルの間に、選択された複数のトランシーバーへ選択されたセルラーデータ通話を伝送する工程を含むことが好ましい。これらのインターバルは、トランシーバーがデータパケットをセルラーネットワーク通話に抵触することなしに伝送できるアイドル状態にあるときに発生する。
【０２３１】
第１セルラーネットワークが時分割多重化を採用する場合、セルラーデータ通話からのデータパケットの送受信を行う工程は、更に、第１セルラーネットワークの各セルラーチャンネルに対して、セルラーチャンネルにとって正確なタイムスロットでデータパケットを挿入する工程を含むことが好ましい。この工程は、以前に図２を参照して詳細に説明したように、データ通話コントローラ１０３、切替制御回路１０７、マルチプレクサ１０９、及び挿入回路１０４によって処理される。
【０２３２】
上記の通信方法は、データパケットの送受信を行う工程に先立って、各セルラーデータ通話からのデータパケットをデータバッファに一時的に格納する工程を含むことが好ましい。図２に示すように、第１セルラーネットワークの複数のセルラーチャンネルのうちの一つにおいて、セルラーネットワーク通話間にインターバルが発生するまでの間、各セルラーデータ通話からのデータパケットは、データバッファ１３０に格納される。それから、上記インターバルの間に、選択された格納済のデータパケットは読み出され、第１セルラーネットワークのセルラーチャンネルを介して転送される。
【０２３３】
セルラーデータネットワークを介してコンピュータ間で間欠的に行われるデータの授受は、セルラーデータネットワークのユーザ間に仮想接続を確立する。この仮想接続は、間欠的、不連続的な接続であり、連続接続とは対立するものである。
【０２３４】
本発明の通信方法は、また、コンピュータ間、あるいは他のデジタル装置間で送受信される不連続で間欠的なデータパケットの形態で、セルラーデータネットワークを介して通話を完結させる工程を含むことが好ましい。
【０２３５】
次のようなシステムも本発明の範囲内である。そのシステムは、例えば、図２に示された時分割多重化を提供するシステムであり、この時分割多重化は、本発明の使用に適した多重化であればよい。コード分割多重アクセス（Code Division Multiple Access ）や他の多重化等のその分野の当業者に公知の手法も、各セルラー周波数を有する多重セルラーチャンネルに、それぞれセルラー通話の送受信が可能な個別のチャンネルを与える。
【０２３６】
このように、上記の説明は、特定の時分割多重化についてなされているが、本発明はこれに限定されるものではなく、他のタイプのデジタル多重化を採用するセルラーネットワークにも適用可能である。
【０２３７】
他の多重化システムが使用される場合、図２の或る構成要素は僅かに変更を要する。例えば、第１セルラーネットワーク１５がコード分割多重アクセス又は他の多重化を採用する場合、第２セルラーデータネットワーク８０は、同じか或いは矛盾しない多重化を使用しなければならない。
【０２３８】
結果として、他の多重化が図１の第１セルラーネットワーク１５で採用される場合、図２の破線ブロック１０８（セルラーデータ電話交換局９３での時分割多重アクセス符号化／復号化回路）と１０４（移動セルラー局８５での時分割多重アクセス符号化／復号化回路）とは、適当なマルチプレクサ符号化／復号化回路で置換することになる。
【０２３９】
同様に、セルラー基地局２８内のマルチプレクサ１０９は、第１セルラーネットワークで使用されるのと同じタイプのマルチプレックスコントローラであることが必要である。
【０２４０】
セルラーネットワークで使用される多重化の種類に関係なく、本発明の通信システムは、データパケットをセルラーネットワーク通話間のインターバルにおいて挿入する。図２によれば、時分割多重コントローラか他のタイプの多重コントローラかに関係なく、典型的な共有されたセルラー基地局２８内の挿入回路１０４は、本発明の共有された他のセルラー基地局内のものも含めて、セルラー基地局内のマルチプレクサ１０９と協働して動作する。
【０２４１】
要約すると、多重アクセス多重化（multiple access multiplexing methodology）が、第１セルラーネットワークにおいて、個別のセルラーチャンネルを定義するために使用される場合、第２セルラーデータネットワークのデータパケットは、セルラーネットワーク通話間に、矛盾しない多重化を使用して、利用可能な多重化されたセルラーチャンネルに挿入されなければならない。本発明はこれに限定されるものではなく、その分野の当業者が想到するものもは本発明の範囲内である。
【０２４２】
本実施の形態のセルラー通信システムとセルラー通信方法は、以上のように、セルラーネットワークが既存のサービス区域のデータ専用のセルラー通信ネットワークを供給するために必要な構成要素の重複度を最小にする。
【０２４３】
本実施の形態のセルラーデータネットワークは、自身の地上基地電話交換局を使用するが、殆ど全て第１セルラーネットワークで使用されるのと同じセルラー基地局とトランシーバーとを利用している。その結果、実質的且つ重複的な投資を別々のセルラー基地局やトランシーバーに対してすることなく、第２セルラーデータネットワーク（データ専用のネットワーク）を提供し得る。本発明の他の利点は、第２セルラーデータネットワークが追加の無線スペクトルを必要としないことである。
【０２４４】
本実施の形態は、以上のように、セルラー基地局の利用を増加させることが可能なセルラー通信システムを提供できる。このセルラー通信システムは、サービス区域中に設けられた複数のセルラー基地局に機能的に接続された１つあるいはそれ以上のセルラー電話交換局を有する第１セルラーネットワークを含んでいる。第１セルラーネットワーク内の各セルラー基地局は、選択された所定の周波数で、限られた区域内を無線信号を送受信する。これにより、移動セルラー電話との間でセルラーネットワーク通話を伝送するための複数のセルラーチャンネルが供給される。
【０２４５】
第１セルラーネットワークは、また、セルラーチャンネルモニターを含み、各セルラー基地局において何時セルラーネットワーク通話が終了し、セルラーネットワーク通話間の各インターバルの間で、何時、セルラーチャンネルが新しいセルラーネットワーク通話を伝送できる利用可能な空状態になったかが特定される。
【０２４６】
本実施の形態においては、第２セルラーデータネットワークを含んでいる。これは、第１セルラーネットワークに機能的に接続されると共に、第１セルラーネットワークに接続された幾つかのセルラー基地局を共有する。
【０２４７】
第２セルラーデータネットワークは、また、公衆パケットデータネットワークに選択的に接続され、セルラーデータネットワーク通話を移動セルラー局に対して送受信する。第２セルラーデータネットワークは、第１セルラーネットワークで使用されるセルラー基地局の１つあるいはそれ以上に機能的に接続されたセルラーデータ電話交換局を含んでいる。共有されたセルラー基地局は、第１セルラーネットワークと第２セルラーデータネットワークとの間で共有され、且つセルラーネットワーク通話とセルラーデータネットワーク通話の双方を伝送するセルラー基地局を意味する。
【０２４８】
データ通話コントローラ（データパケット通話コントローラ）は、各共有されたセルラー基地局に設けられる。データ通話コントローラは、第１セルラーネットワークのセルラーチャンネルモニターに機能的に接続され、セルラー基地局で処理される全てのセルラーデータネットワーク通話の状態をモニターする。
【０２４９】
データ通話コントローラは、セルラーネットワーク通話間のインターバルの間に、セルラーデータネットワーク通話を間欠的に利用可能なセルラーチャンネルへ伝送する。その結果、共有されたセルラー基地局は、選択的に、セルラーネットワーク通話とセルラーデータネットワーク通話の双方の送受信を行う。
【０２５０】
好ましい実施の形態においては、各セルラー基地局内にデータバッファが供給されている。データバッファは、機能的にセルラー基地局のデータ通話コントローラに接続され、そしてセルラーデータ電話交換局を介してセルラー基地局に到達するセルラーデータネットワーク通話からのデータを受信して一時的に格納するように機能する。データバッファは、データ通話コントローラと協働し、セルラーネットワーク通話間の選択されたインターバルの間に、選択されたデータがデータバッファから読み出された後にセルラー基地局の利用可能なセルラーチャンネルに伝送される。
【０２５１】
共有された各セルラー基地局には、データ通話挿入回路が設けられており、これはデータ通話コントローラに機能的に接続されている。データ通話挿入回路は、セルラー基地局において、間欠的な機能的接続をデータバッファと選択されたトランシーバーとの間に確立する。この間欠的な機能的接続は、セルラーネットワーク通話間のインターバルの間にデータパケットがデータバッファからトランシーバーへ送られるときに使用される。
【０２５２】
本実施の形態は、時分割多重化を通じて、選択された所定のセルラー周波数で多重セルラーチャンネルを供給するタイプの第１セルラーネットワークにも適用できる。このようなシステムにおいては、共有されたセルラー基地局の各トランシーバーは、複数のセルラーチャンネルを異なる所定のタイムスロットで伝送する。これらのタイムスロットにアクセスするために、データ通話挿入回路は、セルラー基地局内のデータ通話コントローラ及びタイムスロットモニターにそれぞれ機能的に接続されている。
【０２５３】
その結果、セルラー基地局内のデータバッファからのデータパケットは、正確なタイムスロットで利用可能なセルラーチャンネルに対して挿入される。データパケットは、セルラーネットワーク通話間のインターバルの間に、このセルラーネットワーク通話が伝送されるセルラーチャンネルに対して挿入される。
【０２５４】
さらに、本実施の形態は、主として音声通話のために設計され、限られた区域内を選択された所定周波数でそれぞれ無線信号を送受信する複数のセルラー基地局に機能的に接続された第１セルラーネットワークを含むタイプの通信方法を供給する。無線信号は、複数の第１セルラーネットワークの複数のセルラーチャンネルを供給する。これらのセルラーチャンネルは、セルラーネットワーク通話を移動セルラー電話との間で送受信するためのものである。
【０２５５】
本実施の形態のセルラー通信方法は、公衆パケットデータネットワークと、移動セルラー局を所有する一つ以上のネットワーク加入者との間のセルラー通信を選択的に行うように設計された第２セルラーデータネットワークと、第１セルラーネットワークとの間で、少なくとも幾つかのセルラー基地局を共有する工程を含んでいる。
【０２５６】
この共有工程は、また、共有されたセルラー基地局と第２セルラーデータネットワークとを機能的に接続する工程を含んでいる。上記のセルラー通信方法は、更に、セルラーデータネットワーク通話からのデータパケットの送受信を、各共有されたセルラー基地局内の選択された第１セルラーネットワークのセルラーチャンネルを介して行う工程を含んでいる。
【０２５７】
データパケットの送受信（授受）は、セルラーネットワーク通話間のインターバルの間に行われ、これにより、第１セルラーネットワーク内で第１セルラーネットワークによって使用されるのと同じセルラーチャンネルと同じ所定の周波数を使用して、セルラーデータ通話を伝送するための間欠的なセルラーデータチャンネルを供給できる。
【０２５８】
好ましい実施の形態としては、使用される各共有セルラー基地局が、無線信号の送受信を行うための複数のセルラートランシーバーを含み、これによりセルラーネットワーク通話が伝送される。更に、セルラー基地局に到達する各セルラーデータネットワーク通話からのデータパケットをデータバッファに一時的に格納する工程を含むことが好ましい。各セルラーデータネットワーク通話に対して、セルラーネットワーク通話間の選択されたインターバルが第１セルラーネットワークのセルラーチャンネル上で発生するまでの間、少なくとも一つ以上のデータパケットを格納し、それから格納済のデータパケットを読み出した後に、セルラーネットワーク通話間の選択されたインターバルの間に、第１セルラーネットワークのセルラーチャンネルへ伝送する工程を更に含むことが好ましい。
【０２５９】
上記の好ましい形態の場合、時分割多重化を採用する第１セルラーネットワークにも適用できる。この時分割多重化は、１つあるいはそれ以上の選択された所定のセルラー周波数で、第１セルラーネットワークのセルラーチャンネルの多重化を供給するものである。このようなネットワークにおいて、セルラーデータネットワーク通話からのデータパケットの送受信を行う工程は、第１セルラーネットワークの各セルラーチャンネルに対して、セルラーネットワーク通話を伝送するために使用されるセルラーチャンネルのタイムスロットで、データパケットを挿入する工程を含むことが好ましい。
【０２６０】
本実施の形態によれば、以上のように、セルラーネットワーク通話間のインターバルの間に、複数のデータ通信チャンネルを供給することによって、セルラー基地局の利用を増加させている。したがって、セルラー基地局、セルラー基地局内のトランシーバー（即ち無線周波数）を重複して別途設けることなく、電話加入者間の間欠的な複数の仮想接続が確立される。
【０２６１】
本発明の第１セルラー通信システムは、以上のように、サービス区域中に配された複数のセルラー基地局に機能的に接続された１つあるいはそれ以上のセルラー電話交換局を有する第１セルラーネットワークを有し、各セルラー基地局は、限られた区域内を選択された複数の所定周波数で、複数の無線信号の送受信を行い、これにより複数の第１ネットワーク通話の送受信を移動セルラー電話との間で行うための複数のセルラーチャンネルを供給し、第１セルラーネットワークは、各セルラー基地局で、何時、第１ネットワーク通話が終了し、第１ネットワーク通話間の各インターバルの間で、何時、セルラーチャンネルが利用可能な状態になったかを特定するためのセルラーチャンネルモニターを有し、セルラー基地局の利用を増加させるセルラー通信システムである。
【０２６２】
上記の第１セルラー通信システムは、第１セルラーネットワークとの間で少なくとも幾つかのセルラー基地局を共有すると共に、選択的に公衆パケットデータネットワークに接続され、移動セルラー局との間でセルラーデータ通話の送受信を行うセルラーデータネットワークを備え、このセルラーデータネットワークは共有セルラー基地局に機能的に接続されたセルラーデータ電話交換局を有している。
【０２６３】
上記の第１セルラー通信システムは、各共有セルラー基地局内に設けられ、上記セルラーチャンネルモニターに機能的に接続され、セルラー基地局によって処理される全てのデータ通話の状態をモニターすると共に、第１ネットワーク通話間のインターバルの間に選択的にデータ通話を間欠的に利用可能なセルラーチャンネルへ伝送するデータ通話コントローラを更に備えている。
【０２６４】
上記の第１セルラー通信システムによれば、共有セルラー基地局は、選択的に第１ネットワーク通話とセルラーデータネットワークデータ通話の双方を送受信することができる。
【０２６５】
本発明の第２セルラー通信システムは、以上のように、上記の第１セルラー通信システムの構成に加えて、各共有セルラー基地局において、上記のデータ通話コントローラに機能的に接続され、上記のセルラーデータ電話交換局を介してセルラー基地局に到達する上記データ通話を受けて一時的に格納するためのデータバッファを更に備え、上記データ通話コントローラは、第１ネットワーク通話間の選択されたインターバルの間に上記データバッファから選択的にデータを読み出して利用可能なセルラーチャンネルへ伝送する。
【０２６６】
本発明の第３セルラー通信システムは、以上のように、上記の第２セルラー通信システムの構成において、上記セルラーデータネットワークによって伝送されるデータはデータパケットの形態を有し、各データ通話に対して、各セルラー基地局内の上記データバッファは、上記データ通話コントローラから指示を受けると、少なくとも一つのデータパケットを継続して受けて格納し、セルラー基地局内の利用可能なセルラーチャンネルへ転送する。
【０２６７】
本発明の第４セルラー通信システムは、以上のように、上記の第３セルラー通信システムの構成において、各共有セルラー基地局は複数のセルラートランシーバーを含み、各トランシーバーは少なくとも一つの選択された所定の周波数で動作して第１ネットワーク通話を伝送する少なくとも一つのセルラーチャンネルを供給し、各共有セルラー基地局は、上記データ通話コントローラに機能的に接続されたデータ通話挿入手段を有し、このデータ通話挿入手段は、データパケットがデータバッファからトランシーバーへ第１ネットワーク通話間に送られてきた場合に、上記データバッファと選択されたトランシーバーとの間に機能的な接続を確立する。
【０２６８】
本発明の第５セルラー通信システムは、以上のように、上記の第４セルラー通信システムの構成において、上記の第１セルラーネットワークが、多重化を介して、選択された所定セルラー周波数で多重セルラーチャンネルを供給し、これにより、各共有セルラー基地局内の各トランシーバーは複数のセルラーチャンネルを伝送し、上記データ通話挿入手段は、各共有セルラー基地局内に設けられ、上記データバッファからのデータパケットを利用可能なセルラーチャンネルに挿入するためのマルチプレックスコントローラと協働して動作する。
【０２６９】
本発明の第６セルラー通信システムは、以上のように、上記の第４セルラー通信システムの構成において、上記の第１セルラーネットワークが、時分割多重化を介して、選択された所定セルラー周波数で多重セルラーチャンネルを供給し、これにより、各共有セルラー基地局内の各トランシーバーは複数のセルラーチャンネルを異なる所定のタイムスロットで伝送し、上記データ通話挿入手段は、各共有セルラー基地局内に設けられ、上記データバッファからのデータパケットを上記タイムスロットで利用可能なセルラーチャンネルに挿入するためのタイムスロットコントローラと協働して動作する。
【０２７０】
本発明の第７セルラー通信システムは、以上のように、複数のセルラー基地局を有する第１セルラーネットワークを有し、各セルラー基地局は、限られた区域内を選択された所定の周波数で無線信号の送受信を行って移動セルラー電話との間で第１ネットワーク通話を伝送する複数のセルラーチャンネルを供給し、上記第１セルラーネットワークは、各セルラー基地局内で第１ネットワーク通話が、何時、終了し、第１ネットワーク通話の各インターバルの間で、何時、セルラーチャンネルが新しい通話を伝送できる利用可能状態になったかを検出するセルラーチャンネルモニターを含んでいる。
【０２７１】
上記の第７セルラー通信システムは、公衆パケットデータネットワークに機能的に接続されると共に第１セルラーネットワークによって使用されるセルラー基地局の幾つかあるいは全てに機能的に接続されたセルラーデータネットワークを備え、上記セルラー基地局は、上記の第１セルラーネットワークと、セルラー基地局を共有する第２セルラーデータネットワークの双方に機能的に接続されている。
【０２７２】
上記の各共有セルラー基地局は、上セルラーデータネットワークによって上記の公衆パケットデータネットワークからセルラー基地局へ伝送されるデータパケットを受けて一時的に格納するデータバッファを更に備えている。
【０２７３】
上記の各共有セルラー基地局は、上記のセルラーチャンネルモニターに機能的に接続されると共に上記データバッファに機能的に接続されるデータ通話コントローラを有し、このデータ通話コントローラは、選択的に、データパケットを上記データバッファから読み出すと共に、第１ネットワーク通話間の選択されたインターバルの間に、セルラー基地局内のセルラーチャンネルを使用して間欠的にデータパケットの送受信を行い、これにより、セルラーチャンネルが間欠的にセルラーデータネットワーク通話を第１ネットワーク通話に抵触せずに伝送することができる。
【０２７４】
本発明の第８セルラー通信システムは、以上のように、上記の第７セルラー通信システムの構成において、各共有セルラー基地局は、複数のセルラートランシーバーを有し、各トランシーバーは１以上の選択された所定周波数で動作してセルラー通話を伝送する１以上のセルラーチャンネルを供給し、各共有セルラー基地局は、上記データ通話コントローラとトランシーバーとにそれぞれ機能的に接続されたデータ通話挿入手段を有し、このデータ通話挿入手段は、第１ネットワーク通話間の選択されたインターバルの間に、上記データ通話コントローラからの指示に基づいて、上記データバッファと選択されたトランシーバーとの間に機能的な接続を確立し、これにより、データパケットは読み出されて上記トランシーバーを介して伝送される。
【０２７５】
本発明の第９セルラー通信システムは、以上のように、上記の第７セルラー通信システムの構成において、上記の第１セルラーネットワークが、時分割多重化を介して、選択された所定周波数で多重セルラーチャンネルを供給し、これにより、共有セルラー基地局内の各トランシーバーは複数のセルラーチャンネルを異なる所定のタイムスロットで伝送し、上記データ通話挿入手段は、各共有セルラー基地局内に設けられ、利用可能なセルラーチャンネルの上記タイムスロットで上記データバッファからのデータパケットを上記インターバルの間に挿入するタイムスロットモニターに機能的に接続されている。
【０２７６】
本発明の第１０セルラー通信システムは、以上のように、複数のセルラー基地局に接続され、サービス区域内に配された複数のセルラー基地局に機能的に接続された少なくとも一つのセルラー電話交換局を有し、主として音声伝送を行うための第１セルラーネットワークを備え、上記の各セルラー基地局は、複数の第１ネットワークトランシーバーを有し、この第１ネットワークトランシーバーは１以上の所定周波数で動作し、各トランシーバーは、移動セルラー電話との間で第１ネットワーク通話を伝送するための少なくとも一つのセルラーチャンネルを供給する。
【０２７７】
上記の第１０セルラー通信システムは、或る第１ネットワーク通話が、何時、終了し、そのチャンネルが他の第１ネットワーク通話が伝送できるアイドル状態にあるか否かを各トランシーバーごとに特定する基地局チャンネルモニターを有する。
【０２７８】
上記の第１０セルラー通信システムは、上記トランシーバーと上記基地局チャンネルモニター手段とに機能的に接続され、入力される第１ネットワーク通話をアイドル状態にあるチャンネルへ伝送する基地局制御手段とを備え、各セルラーチャンネルは第１ネットワーク通話の終了と次の第１ネットワーク通話の開始との間に少なくともアイドル状態を有する。
【０２７９】
上記の第１０セルラー通信システムは、上記の第１セルラーネットワークの基地局及びトランシーバーを使用してパケット化されたデータを伝送する通信装置であって、上記の複数の基地局に機能的に接続され、少なくとも幾つかの基地局及びトランシーバーを上記の第１セルラーネットワークと共有し、公衆パケットデータネットワークに接続されると共にデータパケットを公衆パケットデータネットワークと移動セルラーデータ局との間で選択的に転送するセルラーデータネットワークを備えている。
【０２８０】
上記の共有セルラー基地局は、(1) 共有された上記のセルラー基地局と上記の第１ネットワークとを接続し、上記のセルラー基地局との間で第１ネットワーク通話を行う第１ネットワーク通信リンク手段と、(2) 共有された上記のセルラー基地局と上記セルラーデータネットワークとを接続し、上記のセルラー基地局との間で上記データパケットの授受を行う第２ネットワーク通信リンク手段と、(3) 上記の第１ネットワーク通信リンク手段と、共有されたセルラー基地局の基地局制御手段とを接続し、上記のセルラー基地局内のトランシーバーとの間で上記の第１ネットワーク通話を行う第１機能的接続手段と、(4) 上記の第２ネットワーク通信リンク手段と、共有されたセルラー基地局の基地局制御手段とを接続し、上記のセルラー基地局内の第１ネットワーク通話を行う際に使用されるのと同じトランシーバーとの間で上記のデータパケットの授受を行う第２機能的接続手段と、(5) 上記の基地局制御手段と上記の第２ネットワーク通信リンク手段とに接続され、共有されたセルラー基地局内の選択されたトランシーバーを介してデータパケットの授受を選択的に上記の基地局制御手段との間で行うデータパケット通話コントローラを備えている。
【０２８１】
上記の第１０セルラー通信システムによれば、上記の基地局制御手段は、選択されたトランシーバーによって伝送されるセルラーチャンネル上のネットワーク通話間のインターバルの間に、上記のデータパケットを該トランシーバーを介して伝送し、共有された上記のセルラー基地局によって使用されたトランシーバー及びセルラーチャンネルが、上記の第１セルラーネットワークによって音声通話を主として伝送する一方、これらと同じトランシーバー及びセルラーチャンネルが、上記のセルラーデータネットワークからのデータパケットを間欠的に伝送する。
【０２８２】
本発明の第１１セルラー通信システムは、以上のように、上記の第１０セルラー通信システムの構成に加えて、各共有セルラー基地局において、上記データパケット通話コントローラに機能的に接続され、上記のセルラーデータ電話交換局を介してセルラー基地局に到達する上記データパケット通話を受けて一時的に格納するためのデータバッファを更に備え、上記データパケット通話コントローラは、上記セルラー基地局に応答して、第１ネットワーク通話間の選択されたインターバルの間に、上記データバッファから選択的にデータを読み出して利用可能なセルラーチャンネルへ伝送する。
【０２８３】
本発明の第１２セルラー通信システムは、以上のように、上記の第１０セルラー通信システムの構成において、上記の第１セルラーネットワークは、多重化を介して、選択された所定のセルラー周波数で多重セルラーチャンネルを供給し、これにより、各共有セルラー基地局内の各トランシーバーは複数のセルラーチャンネルを伝送し、各共有セルラー基地局にマルチプレックスコントローラを更に備え、上記データパケット通話コントローラは、各共有セルラー基地局内に設けられ、上記データバッファからのデータパケットを利用可能なセルラーチャンネルに挿入するための上記マルチプレックスコントローラと協働して動作する。
【０２８４】
本発明の第１３セルラー通信システムは、以上のように、上記の第１０セルラー通信システムの構成において、上記の第１セルラーネットワークが時分割多重化を介して、選択された所定セルラー周波数で多重セルラーチャンネルを供給し、これにより、各共有セルラー基地局内の各トランシーバーは複数のセルラーチャンネルを異なる所定のタイムスロットで伝送し、各共有セルラー基地局にタイムスロットコントローラを更に備え、上記データパケット通話コントローラは、各共有セルラー基地局内に設けられ、上記第１ネットワーク通話間のインターバルの間に、利用可能なセルラーチャンネルの上記タイムスロットで上記データバッファからのデータパケットを挿入するための上記タイムスロットコントローラと協働して動作する。
【０２８５】
本発明の第１セルラー通信方法は、以上のように、第１セルラーネットワークを含むセルラー通信システム内のセルラーチャンネルの共有方法であって、上記の第１セルラーネットワークは主として音声通信のために設計されており、複数のセルラー基地局に機能的に接続されており、各セルラー基地局は、限られた区域内を選択された所定周波数で無線信号を送受信して第１ネットワーク通話を移動セルラー電話との間で伝送するための複数の第１ネットワークセルラーチャンネルを供給する。
【０２８６】
上記の第１セルラー通信方法は、上記第１ネットワークに機能的に接続されたセルラー基地局の少なくとも幾つかを、公衆パケットデータネットワークと移動セルラー局を所有するデータネットワーク加入者との間で選択的にセルラー通信を供給するように設計されたセルラーデータネットワークとの間で共有する工程を含んでいる。
【０２８７】
上記の共有工程は、共有セルラー基地局を上記セルラーデータネットワークに機能的に接続する工程を含み、各共有セルラー基地局において、セルラーデータ通話からのデータパケットの送受信を選択された第１ネットワークセルラーチャンネルを介して第１ネットワーク通話間のインターバルの間に行う工程を更に含み、これにより、セルラーデータ通話を同じ所定周波数で同じ第１ネットワークセルラーチャンネルを使用して伝送する、間欠的なセルラーデータチャンネルを供給する。
【０２８８】
本発明の第２セルラー通信方法は、以上のように、上記の第１セルラー通信方法において、上記セルラー基地局は、第１セルラーネットワークに機能的に接続され、上記の共有セルラー基地局を含み、各共有セルラー基地局は上記複数の第１ネットワークセルラーチャンネルを介して伝送される無線信号の送受信を行うための複数のセルラートランシーバを含むと共に、セルラーデータ通話からデータパケットの授受を行う上記工程は、上記複数のトランシーバが第１ネットワーク通話に抵触せずにデータパケットの伝送を行える利用可能な状態にある時、選択された複数のトランシーバを使用して第１ネットワーク通話間の複数のインターバルの間に、データパケットの授受を行う工程を含んでいる。
【０２８９】
本発明の第３セルラー通信方法は、以上のように、上記の第１セルラー通信方法において、各共有されたセルラー基地局で、データパケットの送受信を行う前に、各セルラーデータ通話からのデータパケットをデータバッファに一時的に格納し、各セルラーデータ通話に対して、第１ネットワークセルラーチャンネル上に第１ネットワーク通話間の選択されたインターバルが発生するまでの間、１以上のデータパケットを格納した後に、上記の第１ネットワークチャンネル上の格納済のデータパケットを上記インターバルの間に再生して転送する。
【０２９０】
本発明の第４セルラー通信方法は、以上のように、上記の第１セルラー通信方法において、上記の第１セルラーネットワークが、時分割多重化を使用して多重第１ネットワークセルラーチャンネルを選択された所定周波数で供給し、セルラーデータ通話からのデータパケットの送受信の上記工程は、各第１ネットワークセルラーチャンネルに対して、データパケットを上記セルラーチャンネルの上記時分割で挿入する工程を含んでいる。
【０２９１】
本発明の第５セルラー通信方法は、以上のように、上記の第１セルラー通信方法において、上記の第１セルラーネットワークは、多重化を使用して多重第１ネットワークセルラーチャンネルを選択された所定周波数で供給し、セルラーデータ通話からのデータパケットの送受信の上記工程は、各第１ネットワークセルラーチャンネルに対して、データパケットを上記利用可能な多重セルラーチャンネルに挿入する工程を含んでいる。
【０２９２】
本発明の第６セルラー通信方法は、以上のように、主として音声伝送を行う第１セルラーネットワークのセルラーチャンネルをセルラーデータネットワークを介して伝送されるパケット化されたデータセルラー通話と共有する方法であって、上記のセルラーデータネットワークは、公衆パケットデータネットワークに接続され、この公衆パケットデータネットワークは、上記セルラーデータネットワークを介して、公衆パケットデータネットワークのユーザと移動セルラーデータ局のユーザとの間で、データパケットを選択的に伝送するものである。
【０２９３】
上記の第１セルラーネットワークは複数のセルラー基地局を有し、各セルラー基地局は１以上の周波数で動作する複数のトランシーバーを有し、各トランシーバーは、移動セルラー電話との間で第１ネットワーク通話を伝送する少なくとも一つのセルラーチャンネルを供給し、各セルラー基地局は、セルラー基地局内の選択されたトランシーバーによって伝送されるアイドル状態のチャンネルに対して、入力される第１ネットワーク通話を伝送する基地局コントローラを有し、各セルラーチャンネルは、少なくとも第１ネットワーク通話の終了と次の第１ネットワーク通話の開始との間でアイドル状態になる。
【０２９４】
上記の第６セルラー通信方法は、上記の第１セルラーネットワークによって使用されるセルラー基地局のうちの幾つかを上記セルラーデータネットワークにリンクさせ、上記セルラーデータネットワークと上記の第１セルラーネットワークとによって使用される共有セルラー基地局を供給する工程を含んでいる。
【０２９５】
各共有セルラー基地局において、(1) 第１セルラーネットワークを上記の基地局コントローラに対して機能的に接続し、該基地局コントローラがセルラー基地局内のトランシーバーとの間で第１ネットワーク通話を伝送する工程と、(2) 上記セルラーデータネットワークを前工程で使用されたのと同じ基地局コントローラに機能的に接続し、上記の基地局コントローラが、セルラーデータネットワークを介して伝送されるデータパケットをセルラー基地局内のトランシーバーとの間で伝送する工程と、(3) 上記のセルラー基地局が上記の第１セルラーネットワークからの第１ネットワーク通話と、上記セルラーデータネットワークからのデータパケットとを、セルラー基地局内の選択されたトランシーバーによって伝送されるセルラーチャンネルへ伝送する工程を含んでいる。
【０２９６】
上記の第６セルラー通信方法によれば、上記の基地局コントローラは、第１ネットワーク通話の終了と次の第１ネットワーク通話の開始との間で、チャンネル上にアイドル状態を特定すると、１以上のデータパケットを上記のセルラーデータネットワークから、第１ネットワーク通話間のインターバルの間に１以上のデータパケットの送受信を行うチャンネルに係るトランシーバーへ伝送し、これにより、共有セルラー基地局によって使用されるトランシーバー及びセルラーチャンネルは、主として音声通話を上記の第１セルラーネットワークを介して伝送すると共に、同じセルラーチャンネル及びトランシーバーを介して、上記セルラーデータネットワークからのデータパケットを間欠的に伝送する。
【０２９７】
本発明の第７セルラー通信方法は、以上のように、第６セルラー通信方法において、各共有セルラー基地局において、セルラーデータネットワークを第１ネットワーク通話の伝送に使用されるセルラー基地局に機能的に接続させる工程の一部として、上記のセルラー基地局と上記のセルラーデータネットワークとを機能的に接続し、セルラーデータ通話からのデータパケットを一時的に格納するためのデータバッファを供給する工程と、セルラー基地局が１以上のデータパケットを選択されたセルラーチャンネルへ伝送するまでの間、選択的に１以上のデータパケットを格納する工程とを含んでいる。
【０２９８】
上記の第７セルラー通信方法は、セルラーデータネットワークから選択されたチャンネルに係るトランシーバーへ１以上のデータパケットを選択的に伝送する上記工程において、上記データバッファから上記１以上の格納済のデータパケットを読み出して第１ネットワーク通話間のインターバルに伝送する工程を含んでいる。
【０２９９】
本発明の第８セルラー通信方法は、以上のように、第６セルラー通信方法において、上記の第１セルラーネットワークが時分割多重化を採用して多重第１ネットワークセルラーチャンネルを選択された所定周波数で供給し、基地局コントローラが１以上のデータパケットを上記のセルラーデータネットワークから上記トランシーバーへ選択的に伝送する上記工程は、データパケットが挿入される第１ネットワークセルラーチャンネルに対して、このデータパケットを上記セルラーチャンネルの時分割へ挿入する工程を含んでいる。
【０３００】
本発明の第９セルラー通信方法は、以上のように、第６セルラー通信方法において、上記の第１セルラーネットワークはマルチプレクシング（多重化）を採用して第１ネットワークセルラーチャンネルを選択された所定周波数で供給し、基地局コントローラが１以上のデータパケットを上記のセルラーデータネットワークから上記トランシーバーへ選択的に伝送する上記工程は、データパケットが挿入される第１ネットワークセルラーチャンネルに対して、該データパケットを利用可能な多重化された上記セルラーチャンネルへ挿入する工程を含んでいる。
【０３０１】
【発明の効果】
本発明のセルラー通信システムは、以上のように、それぞれ少なくとも一つのセルラーチャンネルを有する複数のトランシーバーと、トランシーバー毎にセルラーチャンネルをモニターし、音声通話間にアイドル状態になったセルラーチャンネルを特定する基地局チャンネルモニター手段と、選択されたトランシーバーのアイドル状態にあるセルラーチャンネルとの間で音声通話を行う基地局制御手段とを有する複数のセルラー基地局に接続され、主として音声を伝送するセルラーネットワークと、上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備え、共有された各セルラー基地局は、更に、上記の基地局チャンネルモニター手段によって、選択されたトランシーバーにおいて音声通話間にアイドル状態のセルラーチャンネルが特定されると、伝送するデータパケットの授受を選択的に上記の基地局制御手段との間で行うデータパケット通話制御手段を備えている。
【０３０２】
それゆえ、セルラー基地局のうち少なくとも幾つかは、上記セルラーネットワークとセルラーデータネットワークとの間で共有されるので、セルラー基地局の利用を著しく増加させることができる。
【０３０３】
しかも、音声通話とデータパケットの伝送とが、共有されたセルラー基地局内の同じトランシーバー及びセルラーチャンネルを介して行えるので、従来のように音声伝送用のセルラー基地局とデータ伝送用のセルラー基地局とでそれぞれ別々に重複してトランシーバー及び制御手段等の基幹施設が設けられる場合と比較して、システムの構成を著しく簡素化できると共に、システム構築に要する費用を大幅に削減でき、しかも、利用できる無線スペクトルの利用を増加することができ、通話を処理するシステムの容量を増加させることができる。
【０３０４】
しかも、通常トランシーバーによって行われるセルラーネットワーク通話の処理を中断することなく、セルラー基地局内の各トランシーバーの使用を増やすことができるという効果を併せて奏する。
【０３０５】
本発明のセルラー通信システムは、以上のように、(1) それぞれ少なくとも一つのセルラーチャンネルを有する複数のトランシーバーと、トランシーバー毎にセルラーチャンネルをモニターし、何時、ネットワーク通話が終了して他のネットワーク通話が可能なアイドル状態になったかを特定する基地局チャンネルモニター手段と、上記トランシーバーと上記基地局チャンネルモニター手段とに接続され、ネットワーク通話を選択されたトランシーバーのアイドル状態にあるセルラーチャンネルとの間で行う基地局制御手段とを有する複数のセルラー基地局に接続され、少なくとも一つのセルラー電話交換局を有し、主として音声伝送を行うためのセルラーネットワークと、(2) 上記複数のセルラー基地局のうち少なくとも幾つかを上記セルラーネットワークと共有すると共に、データパケットを公衆パケットデータネットワークと移動セルラーデータ局との間で選択的に転送するセルラーデータネットワークとを備えている。
【０３０６】
共有された各セルラー基地局は、更に、(a) 共有された上記のセルラー基地局と上記のセルラーネットワークとを接続し、上記のセルラー基地局との間で上記ネットワーク通話を行う第１ネットワーク通信リンク手段と、(b) 共有された上記のセルラー基地局と上記セルラーデータネットワークとを接続し、上記のセルラー基地局との間で上記データパケットの授受を行う第２ネットワーク通信リンク手段と、(c) 上記の第１ネットワーク通信リンク手段と、共有されたセルラー基地局の基地局制御手段とを接続し、上記のセルラー基地局内のトランシーバーとの間で上記のネットワーク通話を行う第１接続手段と、(d) 上記の第２ネットワーク通信リンク手段と、共有されたセルラー基地局の基地局制御手段とを接続し、上記のセルラー基地局内のネットワーク通話を行う際に使用されるのと同じトランシーバーとの間で上記のデータパケットの授受を行う第２接続手段と、(e) 上記の基地局制御手段と上記の第２ネットワーク通信リンク手段とに接続され、共有されたセルラー基地局内の選択されたトランシーバーを介してデータパケットの授受を選択的に上記の基地局制御手段との間で行うデータパケット通話制御手段とを備え、上記の基地局制御手段は、選択されたトランシーバーによって伝送されるセルラーチャンネル上のネットワーク通話間のインターバルの間に、上記データパケットを該トランシーバーを介して伝送し、共有された上記のセルラー基地局によって使用されたトランシーバー及びセルラーチャンネルが、上記のセルラーネットワークによって音声通話を主として伝送する一方、これらと同じトランシーバー及びセルラーチャンネルが、上記セルラーデータネットワークからのデータパケットを間欠的に伝送するようになっている。
【０３０７】
それゆえ、セルラー基地局のうち少なくとも幾つかは、上記セルラーネットワークとセルラーデータネットワークとの間で共有されるので、セルラー基地局の利用を著しく増加させることができる。
【０３０８】
しかも、音声通話とデータパケットの伝送とが、共有されたセルラー基地局内の同じトランシーバー及びセルラーチャンネルを介して行えるので、従来のように音声伝送用のセルラー基地局とデータ伝送用のセルラー基地局とでそれぞれ別々に重複してトランシーバー及び制御手段等の基幹施設が設けられる場合と比較して、システムの構成を著しく簡素化できると共に、システム構築に要する費用を大幅に削減でき、しかも、利用できる無線スペクトルの利用を増加することができ、通話を処理するシステムの容量を増加させることができる。
【０３０９】
しかも、通常トランシーバーによって行われるセルラーネットワーク通話の処理を中断することなく、セルラー基地局内の各トランシーバーの使用を増やすことができるという効果を併せて奏する。
【０３１０】
本発明のセルラー通信システムは、以上のように、上記した本発明の発明特定事項に加えて、共有された各セルラー基地局が、更に、上記の公衆パケットデータネットワークからデータパケットを受け、このデータパケットを一時的に格納するデータバッファを備え、上記データパケット通話制御手段は、上記の基地局制御手段が格納済のデータパケットを上記データバッファから読み出すのに応じて、該データパケットがアイドル状態にある上記セルラーチャンネルへ伝送されるように応答するようになっている。
【０３１１】
それゆえ、上記した本発明の効果に加えて、公衆パケットデータネットワークからセルラー基地局に対して逐次伝送されてくる複数のデータパケットが、一旦、データバッファに格納されるので、基地局制御手段の負担が軽減され、適宜、間欠的に複数のデータ通話が可能となり、セルラー基地局の利用をより一層増加させることができるという効果を併せて奏する。
【０３１２】
本発明のセルラー通信システムは、以上のように、上記した本発明の発明特定事項に加えて、上記セルラーネットワークが、共有された上記セルラー基地局の各トランシーバーが上記複数のセルラーチャンネルを有するように、所定のセルラー周波数帯域でマルチプレクシングされた複数のセルラーチャンネルを供給し、共有された各セルラー基地局が、更に、上記のデータパケット通話制御手段と協働してアイドル状態にあるセルラーチャンネルを介して上記データバッファに格納されたデータパケットを伝送するマルチプレクシング制御手段を備えている。
【０３１３】
それゆえ、上記した本発明の効果に加えて、各セルラーチャンネルは、所定のセルラー周波数帯域でマルチプレクシングされて多重化されているので、セルラーチャンネルが他の通話を伝送中であっても、マルチプレクシング制御手段は、データパケット通話制御手段と協働して、通話間のアイドル状態にある多重化された単一セルラーチャンネル上で、データバッファに格納されたデータパケットを伝送することができるという効果を併せて奏する。
【０３１４】
本発明のセルラー通信システムは、以上のように、上記した本発明の発明特定事項に加えて、上記セルラーネットワークが、共有された上記セルラー基地局の各トランシーバーが上記複数のセルラーチャンネルを異なる所定のタイムスロットで有するように、所定のセルラー周波数帯域で時分割多重化された複数のセルラーチャンネルを供給し、共有された各セルラー基地局は、更に、上記のデータパケット通話制御手段と協働してアイドル状態にあるセルラーチャンネルを介して上記データバッファに格納されたデータパケットを上記タイムスロットで伝送するタイムスロット制御手段を備えている。
【０３１５】
それゆえ、上記した本発明の効果に加えて、各セルラーチャンネルは、所定のセルラー周波数帯域で時分割多重化されているので、セルラーチャンネルが他の通話を伝送中であっても、タイムスロット制御手段は、データパケット通話制御手段と協働して、通話間のアイドル状態にある多重化された単一セルラーチャンネル上で、データバッファに格納されたデータパケットを伝送することができるという効果を併せて奏する。
【０３１６】
本発明のセルラー通信方法は、以上のように、セルラーネットワークと共有されたセルラー基地局にセルラーデータネットワークを接続する工程と、共有された各セルラー基地局内の基地局制御手段にセルラーネットワークを接続し、共有された各セルラー基地局内のトランシーバーとの間でセルラーネットワーク通話を行う工程と、前工程で使用されたものと同じ基地局制御手段に上記セルラーデータネットワークを接続し、共有された各セルラー基地局内のトランシーバーとの間で、上記セルラーデータネットワークを介して伝送されるデータパケットを伝送する工程とを備え、上記の基地局制御手段がセルラーネットワーク通話の終了と次のセルラーネットワーク通話の開始との間のアイドル期間にあるセルラーチャンネルを特定すると、このセルラーネットワーク通話間のインターバルの間に、基地局制御手段はセルラーデータネットワークからのデータパケットをアイドル状態にある該セルラーチャンネルのトランシーバーへ選択的に伝送し、これにより、共有された各セルラー基地局内のトランシーバー及びセルラーチャンネルは主として音声通話を行うと共に、これらと同じトランシーバー及びセルラーチャンネルがセルラーデータネットワークからのデータパケットを間欠的に伝送するようになっている。
【０３１７】
それゆえ、セルラー基地局のうち少なくとも幾つかは、上記セルラーネットワークとセルラーデータネットワークとの間で共有されるので、セルラー基地局の利用を著しく増加させることができる。
【０３１８】
しかも、音声通話とデータパケットの伝送とが、共有されたセルラー基地局内の同じトランシーバー及びセルラーチャンネルを介して行えるので、従来のように音声伝送用のセルラー基地局とデータ伝送用のセルラー基地局とでそれぞれ別々に伝送が行われる場合と比較して、工程を著しく簡素化できると共に、工程処理に要する費用を大幅に削減でき、しかも、利用できる無線スペクトルの利用を増加することができ、通話を処理するシステムの容量を著しく増加させることができる。
【０３１９】
加えて、通常トランシーバーによって行われるセルラーネットワーク通話の処理を中断することなく、セルラー基地局内の各トランシーバーの使用を増やすことができるという効果を併せて奏する。
【０３２０】
本発明のセルラー通信方法は、以上のように、上記した本発明の発明特定事項に加えて、共有された各セルラー基地局と上記のセルラーデータネットワークとを接続する際に、上記の公衆パケットデータネットワークからデータパケットを受け、一時的にデータバッファに格納し、選択されたセルラーチャンネルへ上記の基地局制御手段がデータパケットを伝送するまでの間、少なくとも一つのデータパケットを選択的に上記データバッファに格納し、基地局制御手段がセルラーデータネットワークからのデータパケットをアイドル状態にあるセルラーチャンネルのトランシーバーへ選択的に伝送する際に、セルラーネットワーク通話間の上記インターバルの間に、上記データバッファに格納されたデータパケットを読みだしてアイドル状態にある上記セルラーチャンネルのトランシーバーへ伝送するようになっている。
【０３２１】
それゆえ、上記した本発明の効果に加えて、データパケット通話制御手段が、データバッファから読み出したデータパケットをアイドル状態にある上記セルラーチャンネルへ伝送するので、基地局制御手段の負担が軽減され、適宜、間欠的に複数のデータ通話が可能となり、セルラー基地局の利用をより一層増加させることができるという効果を併せて奏する。
【０３２２】
本発明のセルラー通信方法は、以上のように、上記した本発明の発明特定事項に加えて、上記セルラーネットワークが、所定のセルラー周波数帯域で時分割多重化された複数のセルラーチャンネルを供給し、データパケットが伝送されるセルラーチャンネル毎に、データパケットを上記の時分割に応じて挿入し、上記の基地局制御手段がセルラーデータネットワークからのデータパケットを選択的に伝送するようになっている。
【０３２３】
それゆえ、上記した本発明の効果に加えて、各セルラーチャンネルは、所定のセルラー周波数帯域で時分割多重化されているので、セルラーチャンネルが他の通話を伝送中であっても、データパケットを通話間のアイドル状態にある多重化された単一セルラーチャンネル上で伝送することができるという効果を併せて奏する。
【０３２４】
本発明のセルラー通信方法は、以上のように、上記した本発明の発明特定事項に加えて、上記セルラーネットワークは、所定のセルラー周波数帯域でマルチプレクシングされた複数のセルラーチャンネルを供給し、データパケットが伝送されるセルラーチャンネル毎に、データパケットをマルチプレクシングされ且つアイドル状態にある上記セルラーチャンネルへ挿入し、上記の基地局制御手段がセルラーデータネットワークからのデータパケットを選択的に伝送するようになっている。
【０３２５】
それゆえ、上記した本発明の効果に加えて、各セルラーチャンネルは、所定のセルラー周波数帯域でマルチプレクシングされて多重化されているので、セルラーチャンネルが他の通話を伝送中であっても、データパケットを通話間のブランク期間に多重化された単一セルラーチャンネル上で伝送できるという効果を併せて奏する。
【０３２６】
本発明のセルラー通信システムは、以上のように、上記した本発明の発明特定事項に加えて、上記タイムスロット制御手段が、所定の優先順位に基づいて、上記セルラーチャンネルを介して上記データバッファに格納されたデータパケットを上記タイムスロットで伝送するようになっている。
【０３２７】
それゆえ、上記した本発明の効果に加えて、１つ以上のセルラーデータネットワーク通話がセルラー基地局を同時に通過する場合にも確実に伝送できるという効果を併せて奏する。
【０３２８】
本発明のセルラー通信システムは、以上のように、上記した本発明の発明特定事項に加えて、上記優先順位が、データパケットのホールド状態の長さに基づいて決定されるようになっている。
【０３２９】
それゆえ、上記した本発明の効果に加えて、ホールド状態が一番長いデータパケットが最優先で伝送されるので、先入れ先出し方式でデータパケットの伝送を行うことができるという効果を併せて奏する。
【０３３０】
本発明のセルラー通信システムは、上記した本発明の発明特定事項に加えて、上記優先順位が、上記データバッファに格納されたデータ量に基づいて決定されるようになっている。
【０３３１】
それゆえ、データバッファに格納されたデータ量の多いもの順にデータパケットの伝送が行われるので、非常にデータ量の多いセルラーデータネットワーク通話が続いても、データ量の多いもの順にデータパケットの伝送が行われ、データバッファのオーバーフローを未然に回避できるという効果を併せて奏する。
【図面の簡単な説明】
【図１】  セルラーネットワークとセルラーデータネットワークとを含む本発明の通信システムのブロック図である。
【図２】  図１のセルラーデータネットワークの一部を示すと共に、セルラーネットワークとセルラーデータネットワークの双方に使用される共有セルラー基地局の追加要素を示すブロック図である。
【図３】  時分割多重アクセスを説明する説明図である。
【図４】  セルラーデータネットワーク通話が、どのようにして、セルラーネットワーク通話に抵触せずに、伝送されるかを示すタイミングダイヤグラムである。
【図５】  音声や会話等のセルラーネットワーク通話が、どのようにして３つのセルラーチャンネルを介して同時に伝送されるのかを示す従来のタイミングダイヤグラムである。
【符号の説明】
１０    第１セルラー電話交換局
１２    公衆電話回線
１５    第１セルラーネットワーク
２８    セルラー基地局
３５    セルラーチャンネルモニター
４０ａ  トランシーバー
４６    基地局コントローラ
７７    モデム
７９    コンピュータ
８１    公衆交換パケットデータネットワーク
８５    移動セルラー局
９３    セルラーデータ電話交換局
１０３  データ通話コントローラ
１０４  挿入摘出回路
１０６  トランシーバスイッチ
１０７  切替制御回路
１０８  時分割アクセス
１０９  マルチプレクサ
１４２  符号化／復号化回路
１３０  データバッファ
１３２  データバッファ
【図１】
0003923116.tif 000002
【図２】
0003923116.tif 000003
【図３】
0003923116.tif 000004
【図４】
0003923116.tif 000005
【図５】
0003923116.tif 000006